(57)【要約】【課題】  迅速且つストレス無く文字入力が行え、表示画面上の表示領域を効率的に使用でき、携帯電話端末に適用した場合にはテンキーを用いすに文字入力可能にする。【解決手段】  横列配置キー５５には五十音の各行の各段の文字が割り当てられている。ユーザは、ディスク型ジョグダイヤルの回転ダイヤルを操作して、「か」行を選択（ハイライト表示５３）し、プッシュボタンを五回押下操作して「こ」の文字を選択する。候補表示部５９には「こ」の文字に関連した予測変換候補の単語が表示される。そして、ユーザは、ディスク型ジョグダイヤルの十字キーの下ボタンを押下操作して候補選択モードへ遷移させ、所望の候補単語を選択した後、プッシュボタンを押下操作する。これにより候補単語の入力が確定する。【選択図】  図５１
2005092521.tif 000002
【特許請求の範囲】
【請求項１】
回転軸を中心にして回転可能に形成された回転部材を有すると共に当該回転部材がユーザにより回転操作された時にその回転操作に応じた操作信号を生成する回転操作子と、所定の中心点に対して少なくとも上下左右の四方向に配置された四つのスイッチを有すると共に当該四つのスイッチの何れかがユーザにより押下操作された時にそのスイッチの押下操作に応じた操作信号を生成する方向指示操作子と、押下操作可能に形成されたスイッチを有すると共に当該スイッチがユーザにより押下操作された時にその押下操作に応じた操作信号を生成する押下操作子とを有する操作手段と、
画像を表示可能な表示手段と、
一つにつき各々複数の異なる文字が割り当てられた複数の仮想キーを、上記表示手段に表示させる仮想キー表示制御手段と、
上記表示手段に表示されている複数の仮想キーの一つを、上記回転操作子又は方向指示操作子の何れかからの操作信号に応じて選択し、当該選択された仮想キーに割り当てられている複数の文字の一つを、上記押下操作子の押下回数に応じた操作信号により選択する文字選択手段と、
予め用意された複数の候補単語の中から、上記文字選択手段により選択された文字に関連した複数の候補単語を選出し、当該選出した複数の候補単語を、上記表示手段上で上記複数の仮想キーの近傍に表示させる候補単語表示制御手段と、
上記表示手段に表示されている複数の仮想キーに割り当てられている複数の文字の一つを選択可能な文字選択モードと、上記表示手段に表示されている複数の候補単語の一つを選択可能な候補選択モードとを、上記操作手段の上記回転操作子又は方向指示操作子の何れかからの操作信号に応じて切り替えるモード切替制御手段と、
上記モード切替制御手段により上記候補選択モードへ切り替えられているときに、上記表示手段に表示されている複数の候補単語の一つを、上記回転操作子又は方向指示操作子の何れかからの操作信号に応じて選択し、当該選択された候補単語を上記押下操作子からの操作信号に応じて決定する単語決定手段とを有する
ことを特徴とする文字入力装置。
【請求項２】
請求項１記載の文字入力装置であって、
上記仮想キー表示制御手段は、上記複数の仮想キーを升目状に配置して上記表示手段に表示させる制御を行うことを特徴とする文字入力装置。
【請求項３】
請求項１記載の文字入力装置であって、
上記仮想キー表示手段は、上記複数の仮想キーを横一列若しくは縦一列に配置して上記表示手段に表示させる制御を行うことを特徴とする文字入力装置。
【請求項４】
請求項３記載の文字入力装置であって、
上記表示手段に表示されている複数の仮想キーの一つが上記文字選択手段にて選択されたとき、当該選択された仮想キーに割り当てられている複数の文字の一覧をその仮想キーの近傍に表示させる一覧表示制御手段を有することを特徴とする文字入力装置。
【請求項５】
請求項１記載の文字入力装置であって、
文字選択手段は、上記押下操作子の押下回数に応じた操作信号により一つの文字を選択した後に、上記回転操作子又は方向指示操作子の何れかからの操作信号が入力されたとき、上記表示手段に表示されている複数の仮想キーの一つを選択する状態まで戻ることを特徴とする文字入力装置。
【請求項６】
請求項１記載の文字入力装置であって、
上記回転操作子の回転部材は略中央に孔部が形成された環状形状となされ、
上記方向指示操作子の四つのスイッチは、上記回転部材の孔部内に配置され、
上記押下操作子は上記方向指示操作子の上記所定の中心点の位置に配置されていることを特徴とする文字入力装置。
【請求項７】
請求項１記載の文字入力装置であって、
上記操作手段と表示手段が一方の主面部上に設けられた第１の筐体と、
第２の筐体と、
上記第１の筐体の上記一方の主面部の背面側となる他方の主面部と、上記第２の筐体の一方の主面部とを相対させた状態で、上記第１の筐体と第２の筐体のそれぞれ一端部側に配される回転軸を中心として当該第１の筐体と第２の筐体を互いに水平方向に回動自在に連結する回転ヒンジ機構とを有することを特徴とする文字入力装置。
【請求項８】
請求項７記載の文字入力装置であって、
上記第２の筐体は、上記一方の主面部上に、少なくとも文字入力に使用可能なテンキーを有し、
回転ヒンジ機構を介して上記第１の筐体と第２の筐体を互いに水平方向に回動させた結果、上記第１の筐体と第２の筐体が重なって上記第２の筐体の上記一方の主面部上のテンキーが使用不能になる第１の状態と、上記第１の筐体と第２の筐体が重ならずに上記第２の筐体の上記一方の主面部上のテンキーが使用可能になる第２の状態とを、判定する状態判定手段と、
上記状態判定手段が上記第１の状態であると判定した時には、上記第１の筐体上の上記操作手段を用いた上記仮想キーの選択と候補単語の選択及び候補単語の決定による文字入力を可能にする第１の文字入力モードに切り替え設定し、一方、上記状態判定手段が上記第２の状態であると判定した時には、上記第２の筐体の上記一方の主面部上のテンキーを使用した文字入力を可能にする第２の文字入力モードに切り替え設定する、文字入力モード切替制御手段とを有することを特徴とする文字入力装置。
【発明の詳細な説明】
【技術分野】
【０００１】
本発明は、例えば携帯電話端末やＰＤＡ（Personal Digital Assistant）等の携帯型電子機器に好適な文字入力装置に関する。
【背景技術】
【０００２】
近年は、パーソナルコンピュータ等のようなハードウェアキーボードを備えたものだけでなく、例えば、携帯電話端末やＰＤＡのように、ユーザが操作できるキー数の少ない携帯型電子機器においても、文字入力機能が必須となっている。
【０００３】
上記携帯型電子機器のように限られた数のキーを用いて文字の入力を行うための文字入力方式としては、一般に次の二つの方式が良く知られている。一方は、仮名を選択することによる文字入力方式（以後、直接選択方式と呼ぶ）であり、他方は、入力したい仮名が含まれる「行」と「段」をそれぞれ選択することによる文字入力方式（以後、行段選択方式と呼ぶ）である。
【０００４】
上記直接選択方式は、仮名の五十音全てを画面上に一覧表示し、その中から入力したい仮名を選択して入力する方式であり、例えばキーボードを持たないゲーム機等において、選択キーと決定キーの操作の組み合わせにより仮名入力を行う場合などに頻繁に用いられている。なお、直接選択方式では、一般に、選択キーに連動したカーソルを一覧表上で移動させることにより所望の文字を選択する手法が採用されていることが多い。
【０００５】
当該直接選択方式における具体的な文字入力手順は次のようになる。
【０００６】
先ず、手順（１）として、画面上には五十音文字の一覧表が表示され、その一覧表の中から所望の文字が選択キーにより選択される。次に、手順（２）として、手順（１）にて選択されている文字が決定キーの押下により決定される。これにより、その決定された文字の入力が確定する。
【０００７】
この直接選択方式の長所は、操作方法がシンプルであり、且つ、仮名が一覧表の形式で全て表示されるため、所望の文字が一覧表内のどの位置にあるのかをユーザが直感的に認識し易いこと等である。
【０００８】
上記行段選択方式は、五十音順のうちで、所望の仮名が含まれる「行」を選択し、その後、その「行」の「段」を選択することによって仮名の入力を行う方式である。この行段選択方式は、直接選択方式と同様に、キーボードを持たない装置、特にカーナビゲーション装置などにおいて仮名入力を行う際に良く用いられている。
【０００９】
当該行段選択方式における具体的な文字入力手順は次のようになる。
【００１０】
先ず、手順（１）として、行選択モードでは、画面上には五十音順の各「行」が表示され、それら「行」の中から所望の「行」が選択キーにより選択される。次に、手順（２）として、手順（１）にて選択されている「行」が決定キーの押下により決定される。次に、段選択モードに移行し、手順（３）として、手順（２）により決定された「行」内の「段」の中から所望の「段」が選択キーにより選択される。その後、手順（４）として、手順（３）にて選択されている「段」が決定キーの押下により決定される。これにより、手順（２）で決定された「行」と手順（４）で決定された「段」とにより特定される仮名文字の入力が確定する。
【００１１】
この行段選択方式の長所は、操作方法がシンプルで直感的であること、五十音の全ての仮名を同時に表示する必要がないことから、直接選択方式に比べて少ない表示領域で実現可能なことが挙げられる。
【００１２】
上述した直接選択方式，行段選択方式の他、特に、携帯電話端末に最も多く採用されている文字入力方式としては、テンキーの繰り返し押下によって仮名を入力する方式（以後、テンキー連打方式と呼ぶ）が良く知られている。
【００１３】
テンキー連打方式は、テンキーを構成する各キーにそれぞれ複数の仮名が割り当てられており、何れかのテンキーを繰り返し押下することにより所望の文字を入力する方式である。
【００１４】
当該テンキー連打方式における具体的な文字入力手順は次のようになる。以下、テンキーのうち、キー「１」に「あ」行の各文字が、キー「２」には「か」行の各文字が割り当てられ、以下同様に、キー「７」には「ま」行、キー「９」には「ら」行の各文字が割り当てられている場合において、例えば「もり」と入力する場合の文字入力手順を説明する。
【００１５】
先ず手順（１）としてキー「７」を押下して「ま」を画面上に表示させ、次に手順（２）としてキー「７」をさらに押下して「ま」を「み」に変化させ、次に手順（３）としてキー「７」をさらに押下して「み」を「む」に変化させ、次に手順（４）としてキー「７」をさらに押下して「む」を「め」に変化させ、次に手順（５）としてキー「７」をさらに押下して「め」を「も」に変化させる。そして次に手順（６）としてキー「９」を押下すると、先に手順（１）〜手順（５）で画面上に表示された「も」の例えば右隣に「ら」の文字が表示される。次に、手順（７）としてキー「９」をさらに押下すると「ら」が「り」に変化する。これにより、手順（１）〜（５）で入力された「も」と手順（６）〜（７）で入力された「り」とから、「もり」の仮名が入力されたことになる。
【００１６】
なお、テンキー連打方式の場合において、ユーザは、手順（１）〜（５）により「も」の入力がなされるまで一文字一文字の変化を目で追って入力しているというよりも、キー「７」を５回押下すると「も」が入力できるという感覚（経験）に基づいて文字を入力していることが多い。
【００１７】
なお、携帯電話端末に適用可能な文字入力装置として、特許文献１には、２段階選択型文字入力装置が開示されている。この文字入力装置は、文字入力に用いるキーとして、環を形成するように配置された６個以上の接点を有するダイヤルキーを備え、表示画面上に環を形成するように６個以上の文字等を表示し、ダイヤルキーの回転操作により文字を選択するようになされている。
【特許文献１】特開２００３−１５０３０３号公報（第１図）
【発明の開示】
【発明が解決しようとする課題】
【００１８】
ところで、上述した直接選択方式は、五十音全ての仮名を一覧表示する必要があるため、大きな表示領域が必要になってしまい、他の表示領域を圧迫してしまうという欠点がある。また、直接選択方式の場合、一般に、選択キーに連動したカーソルを一覧表上で移動させることにより所望の文字が選択されることになるため、例えば一覧表のサイズが大きいような場合にはカーソルを所望の文字上に移動させるまでに時間がかかり、迅速な仮名文字入力が行えないという欠点もある。
【００１９】
上述の行段選択方式は、一文字入力するために行選択モードでの「選択と決定」という操作と段選択モードでの「選択と決定」という二回の「選択と決定」操作を行わなければ成らず、入力に時間がかかり、且つユーザにストレスも与えてしまうことが欠点として挙げられる。
【００２０】
また、直接入力方式、行段選択方式は、何れも所望の文字を目で確認しながら選択と決定の操作を行う必要があり、それにより入力時間、入力に要するストレスの増大を招いている。
【００２１】
一方、テンキー連打方式は、携帯電話端末のユーザに幅広く普及している文字入力手法ではあるが、テンキーの使用が文字入力のための必須要件となっている。このため、例えば、表示部を備えた上部筐体と、当該上部筐体の下側に配され且つ上記表示部の表示面と同一方向の表面上にテンキーを備えた下部筐体とが、それぞれ筐体一端部に設けられた回転機構を中心として互いに水平方向に回動自在となされた携帯電話端末（以後、回転オープン型携帯電話端末と呼ぶ）において、下部筐体上に上部筐体を重ねた状態で使用している場合のように、表示面は表に出ているがテンキー上に上部筐体が覆い被さっているために使えない状態の時には、当該テンキーによる文字入力そのものが行えない。
【００２２】
本発明は、このような実情に鑑みて提案されたものであり、迅速且つストレス無く文字入力を行え、また、表示画面上の表示領域を効率的に使用でき、さらに例えば携帯電話端末に適用した場合にはテンキーを用いなくとも文字入力を行うことができる、文字入力装置を提供することを目的とする。
【課題を解決するための手段】
【００２３】
本発明の文字入力装置は、回転軸を中心にして回転可能に形成された回転部材を有すると共に当該回転部材がユーザにより回転操作された時にその回転操作に応じた操作信号を生成する回転操作子と、所定の中心点に対して少なくとも上下左右の四方向に配置された四つのスイッチを有すると共に当該四つのスイッチの何れかがユーザにより押下操作された時にそのスイッチの押下操作に応じた操作信号を生成する方向指示操作子と、押下操作可能に形成されたスイッチを有すると共に当該スイッチがユーザにより押下操作された時にその押下操作に応じた操作信号を生成する押下操作子とを有する操作手段と、一つにつき各々複数の異なる文字が割り当てられた複数の仮想キーを表示手段に表示させる仮想キー表示制御手段と、回転操作子又は方向指示操作子の何れかからの操作信号に応じて複数の仮想キーの一つを選択し、その選択された仮想キーに割り当てられている複数の文字の一つを、押下操作子の押下回数に応じた操作信号により選択する文字選択手段と、予め用意された複数の候補単語の中から、文字選択手段により選択された文字に関連した複数の候補単語を選出し、その選出した複数の候補単語を表示手段に表示させる候補単語表示制御手段と、表示手段に表示されている複数の仮想キーに割り当てられている複数の文字の一つを選択可能な文字選択モードと、表示手段に表示されている複数の候補単語の一つを選択可能な候補選択モードとを、回転操作子又は方向指示操作子の何れかからの操作信号に応じて切り替えるモード切替制御手段と、候補選択モードへ切り替えられているときに、表示手段に表示されている複数の候補単語の一つを、回転操作子又は方向指示操作子の何れかからの操作信号に応じて選択し、その選択された候補単語を押下操作子からの操作信号に応じて決定する単語決定手段とを有する。
【００２４】
すなわち本発明の文字入力装置によれば、表示手段上に表示される仮想キーに対して複数の文字を割り当てることで、全ての文字を表示手段上に表示させる必要性を無くしている。また、ユーザにより操作手段が操作されて、仮想キーの選択とその仮想キーに割り当てられている文字の選択とが行われると、その選択された文字に関連する複数の候補単語が表示される。そして、ユーザにより操作手段が操作されて、それら表示されている複数の候補単語の中から所望の候補単語が選択されることにより、文字（単語）が入力される。したがって、ユーザは、操作手段を操作して、仮想キーの選択とその仮想キーに割り当てられた文字の選択、候補単語の選択のみにより、文字入力が可能となる。
【発明の効果】
【００２５】
本発明の文字入力装置においては、ユーザは迅速且つストレス無く文字入力を行え、また、表示画面上の表示領域は効率的に使用される。また、本発明の文字入力装置によれば、例えば携帯電話端末に適用された場合、テンキーを用いなくとも文字入力を行うことができることになる。
【発明を実施するための最良の形態】
【００２６】
以下、図面を参照しながら、本発明実施形態の文字入力装置について説明する。なお、本実施形態では、文字入力装置の一例として携帯電話端末を挙げて説明する。
【００２７】
図１〜図３は、本発明実施形態の携帯電話端末の外観を示す。本実施形態の携帯電話端末は、ディスプレイ３を備えた上部筐体（第１の筐体）１と、当該上部筐体１の下側に配され且つ上記ディスプレイ３の表示面と同一方向の表面上にテンキー１４等を備えた下部筐体２（第２の筐体）とが、それぞれ筐体一端部に設けられた回転ヒンジ機構１６を中心として互いに水平方向に回動自在となされた回転オープン型携帯電話端末である。図１は、本実施形態の携帯電話端末を開いた状態（以後、開状態と呼ぶ）を示し、図２は回転ヒンジ機構１６を中心として上部筐体１と下部筐体２を矢印１９に示す方向に９０度回転（図１の開状態に対して９０度回転）させたときの状態を示し、図３は携帯電話端末を閉じた状態（以後、閉状態と呼ぶ）を示している。
【００２８】
上部筐体１には、ディスプレイ３の他、スピーカ４、メール機能キー９、通話開始キー１０、通話終了キー１２、クリアキー１１、ディスク型ジョグダイヤル３５、切替キー１３などが設けられている。これら上部筐体１に設けられるディスプレイ３や各キー等は、本実施形態の携帯電話端末が閉状態になされたときでも常に外側となる一表面部（一方の主面部、以後、この筐体表面部を特にディスプレイ設置面と呼ぶ）上に配置されている。
【００２９】
ディスプレイ３は、電話番号表示や待ち受け画像の表示，電子メールの文章表示等を行うための液晶ディスプレイパネルやＥＬ（electroluminescence ）ディスプレイパネルからなる。スピーカ４は、通話音声等を出力するために設けられている。上記ディスプレイ３は、当該外部筐体１のディスプレイ設置面上に設けられているため、本実施形態の携帯電話端末が閉状態になされたときでも、ユーザは当該ディスプレイ３上の表示を見ることができる。
【００３０】
メール機能キー９は、電子メールの作成，送受信，メール機能の各種設定、メールに関する各種メニュー表示への遷移の際などに使用されるキーである。切替キー１３は、電子メール作成，編集時やアドレス帳編集時などの文字入力における文字種変換キーであり、当該切替キー１３の操作により、例えば、仮名文字から英文字、英文字から数字というように文字種が順次切り替えられる。通話開始キー１０は、通話開始の発信操作のためのキーである。通話終了キー１２は、通話終了の際の終話操作のためのキーである。通話終了キー１２は、電源のオン／オフ機能も割り当てられている。クリアキー１１は、入力した電話番号やメール編集時における文字のクリア（削除）などに用いるためのキーである。これらメール機能キー９、通話開始キー１０、通話終了キー１２、クリアキー１１、切替キー１３は、当該外部筐体１のディスプレイ設置面上に設けられているため、本実施形態の携帯電話端末が閉状態になされたときでも、ユーザはそれら各キーを操作可能である。
【００３１】
ディスク型ジョグダイヤル３５は、回転ダイヤル６（回転操作子）と十字キー７（方向指示操作子）とプッシュボタン８（押下操作子）とが一体化された操作デバイスである。回転ダイヤル６は、当該ディスク型ジョグダイヤル３５の最外周部に設けられ、上部筐体１のディスプレイ設置面に対して略々垂直となされている回転軸を中心にして回動自在に構成されていると共に、内部にホール素子（図示は省略）などの回転検出機構を備えている。本実施形態の携帯電話端末は、当該回転検出機構からの回転検出信号（例えばホール素子から出力されたパルス信号）により、ユーザが当該回転ダイヤル６を何れの方向にどの程度回転させたのかを検出可能となされている。すなわち、回転ダイヤル６がユーザにより回転操作されると、ホール素子からは互いに位相の異なる二つのパルス信号が出力され、本実施形態の携帯電話端末は、何れか一方のパルス信号のパルス数により回転ダイヤル６の回転数を検出し、また、位相の異なる二つのパルス信号のいずれの位相が進んでいるかを判定することで回転ダイヤル６の回転方向を検出する。十字キー７は、例えば上記回転ダイヤル６の内周側に環形状にて形成されると共に、その内部に、例えば弾性変形可能な傾倒部材（図示は省略）と、ユーザによる少なくとも上，下，左，右方向への傾倒操作を検出可能な四つのスイッチ等からなる傾倒方向検出機構（図示は省略）とを有して構成されている。本実施形態の携帯電話端末は、当該傾倒方向検出機構からの傾倒方向検出信号（例えば上，下，左，右の何れかのスイッチからのオン／オフ信号）により、ユーザが当該十字キー７をいずれの方向に傾倒操作したのかを検出可能となされている。以下、十字キー７の上，下，左，右方向への傾倒操作を検出するための四つのスイッチのうち、上方向検出用のスイッチを上ボタン、下方向検出用のスイッチを下ボタン、右方向検出用のスイッチを右ボタン、左方向検出用のスイッチを左ボタンと呼ぶ。なお、十字キー７上には、例えば上，下，左，右の４つの方向をそれぞれ示す４つの方向指示マークが付されていても良い。なお、回転ダイヤル６と十字キー７は一体化されていても良い。プッシュボタン８は、当該ディスク型ジョグダイヤル３５の中心部に設けられており、上部筐体１のディスプレイ設置面に対して略々垂直方向への押下操作を検出する押下スイッチ機構を備えて構成されている。このディスク型ジョグダイヤル３５は、当該外部筐体１のディスプレイ設置面上に設けられているため、本実施形態の携帯電話端末が閉状態になされたときでも、ユーザは上記回転ダイヤル６、十字キー７、プッシュボタン８をそれぞれ操作可能である。なお、詳細については後述するが、本実施形態では、本発明に関わる文字入力方法を実現するための入力デバイスとして上記ディスク型ジョグダイヤル３５が使用される。
【００３２】
下部筐体２には、テンキー１４の他、マイクロホン１５、マナーキー１７、メモキー１８、アンテナ５などが設けられている。これら下部筐体２に設けられるテンキー１４等は、本実施形態の携帯電話端末が閉状態になされたときには上部筐体１により覆われてしまう一表面部（一方の主面部、以後、この筐体表面部を特にテンキー設置面と呼ぶ）上に配置されている。
【００３３】
テンキー１４は、電話番号入力など所定の操作を行うためのキー入力部である。なお、テンキー１４には、「０」〜「９」の数字キー（これら十個のキーがいわゆるテンキーと呼ばれている）の他、「＊」や「＃」の記号キーも含まれている。なお、「０」〜「９」の数字キーと「＊」，「＃」の記号キーは、まとめて１２キーと呼ばれることもある。
【００３４】
マイクロホン１５は、通話音を電気信号に変換するものであり、本実施形態の携帯電話端末では回転ヒンジ機構１６近傍に設けられている。なお、本実施形態において、マイクロホン１５を回転ヒンジ機構１６の近傍に設けているのは、当該携帯電話端末が閉状態の時に、マイクロホン１５とスピーカ４の配置が重なってしまわないようにすることで、当該閉状態と開状態のいずれの状態であっても通話ができるようにするためである。
【００３５】
マナーキー１７は、例えば着信時に着信音を出さないようにする際に操作されるキーである。メモキー１８は、例えば音声を録音する際などに操作されるキーである。
【００３６】
アンテナ５は、下部筐体２の回転ヒンジ機構１６と相対応する一端部側に設けられ、図示しない回転軸を介して立てた状態（下部筐体２の下端面に対して垂直方向に立てた状態）と畳んだ状態（下部筐体２の下端面に対して水平方向に折り畳んだ状態）とをとり得る開閉式アンテナである。なお、図１はアンテナ５が開かれた状態を示し、図２及び図３はアンテナ５が閉じられた状態を示している。
【００３７】
その他、本実施形態の携帯電話端末は、開状態と閉状態を検知するための開閉検知用のセンサ（図１〜図３では図示を省略）を備えている。当該携帯電話端末は、上記開閉検知用のセンサの開閉検知信号により、開状態と閉状態のいずれかを検知した場合、その検知した状態に応じた制御や処理が可能となされている。
【００３８】
〔携帯電話端末の内部構成〕
次に、図４には、本実施形態の携帯電話端末の概略的な内部構成を示す。
【００３９】
アンテナ２２は、前記図１〜図３のアンテナ５であり、信号電波の送受信を行う。通信部２３は、送受信信号の周波数変換、変調と復調、スペクトラム拡散と逆拡散、送受信されたデータが通話音声データかそれ以外のデータかの弁別等を行う。なお、通話音声データ以外のデータとは、画像データや電子メール、プログラムデータ、その他のデータである。
【００４０】
受信された通話音声データは、データラインを介して音声処理部３１へ送られる。音声処理部３１は、通話音声データを復号化し、その復号化後の音声データをデータラインを介してスピーカ３２へ送る。スピーカ３２は、前述の図１〜図３のスピーカ４に相当し、ディジタル／アナログ変換器と増幅器を含み、音声データをディジタル／アナログ変換及び増幅した後、出力する。これにより、通話音声が得られることになる。
【００４１】
一方、マイクロホン３３は、前述の図２のマイクロホン１５に相当し、アナログ／ディジタル変換器と増幅器を含む。このマイクロホン３３を介して入力された通話音声信号は、増幅器により所定のレベルに増幅された後、アナログ／ディジタル変換器によりディジタル音声データに変換され、データラインを介して音声処理部３１へ送られて符号化された後、通信部２３へ送られる。
【００４２】
表示部２６は、前述したディスプレイ３と、当該ディスプレイ３上に画像等を表示する際の駆動回路とからなる。
【００４３】
メール処理部３０は、電子メールの作成や編集、削除などの電子メール機能を実現するための各種の処理を行う。
【００４４】
開閉検知用センサ２７は、携帯電話端末の開状態と閉状態を検知し、例えば「０」と「１」の値により表される開閉検知信号を出力するセンサスイッチである。
【００４５】
キー入力部３４は、前述した図１〜図３のテンキー１４や「＊」，「＃」の記号キー、メール機能キー９、通話開始キー１０、通話終了キー１２、クリアキー１１、切替キー１３、マナーキー１７、メモキー１８等の各キーである。
【００４６】
ジョグダイヤル３５は、前述したディスク型ジョグダイヤル３５である。
【００４７】
ＲＯＭ２４は、ＣＰＵ２１（中央処理装置）が各部を制御するための制御プログラムや各種の初期設定値、本実施形態の文字入力処理等を行うためのプログラムコード、当該携帯電話端末の電話番号、フォントデータ、後述する予測変換の候補単語を含む辞書データ、メール処理部３０がメールの作成や編集処理を実行するためのプログラムコード、その他、携帯電話端末に搭載される各種のアプリケーション用のプログラムコード、当該携帯電話端末の識別情報（ＩＤ）などを記憶している。このＲＯＭ２４は、ＥＥＰＲＯＭのような書き換え可能なＲＯＭを含み、電子メールデータ、ユーザにより設定される電話帳や電子メールアドレス、ダウンロードされた写真データや着信音データ、予測変換の候補単語の登録データや予測変換の学習データ、その他、各種のユーザ設定値等を保存することも可能となされている。
【００４８】
ＲＡＭ２５は、ＣＰＵ２１が各種のデータ処理を行う際の作業領域や文字入力処理中の作業領域として、随時データを格納する。
【００４９】
ＣＰＵ２１は、制御ラインを介して当該携帯電話端末の各構成要素の制御や各種の演算処理を行う。また、ＣＰＵ２１は、キー入力部３４の各キーからの入力信号、ディスク型ジョグダイヤル３５からの入力信号を受け取り、それら入力信号に応じた処理や演算を行う。特に、本実施形態のＣＰＵ２１は、本発明にかかる仮想キー表示制御手段、文字選択手段、候補単語表示制御手段、モード切替制御手段、単語決定手段、状態判定手段、文字入力モード切替制御手段としての機能を実現する。
【００５０】
その他、図４には図示を省略しているが、本実施形態の携帯電話端末は、各部に電力を供給する電源回路や、現在時刻の情報の生成等を行うための時計部、光学レンズや撮像素子等からなり静止画や動画の撮影を行うためのディジタルカメラ機能を実現するカメラ部、音楽の録音や再生を行うための音楽録音再生部、ブラウザ機能、近距離で様々な情報を無線により通信（赤外線通信等も含む）するための近距離無線通信部、携帯電話端末１の現在位置を検出するための測位デバイスであるＧＰＳ（Global Positioning System）部、例えば外部メモリ等の外部記憶装置と端末本体とを接続するためのインターフェイス、外部リモートコントローラの接続端子などを備えている。
【００５１】
〔文字入力時の動作〕
次に、本実施形態の携帯電話端末において文字入力が行われる際の動作について説明する。なお、以下の説明では、文字入力動作の一例として、メールの新規作成時の動作を挙げて説明するが、勿論本発明はメール作成時の文字入力に限定されず、他のアプリケーションにおける文字入力動作にも適用可能であることは言うまでもない。
【００５２】
ここで、本実施形態の携帯電話端末は、開状態と閉状態での二つの文字入力モードを切り替え可能となされている。すなわち、本実施形態の携帯電話端末は、例えば開状態つまりテンキー１４等が使用可能な状態では前述したテンキー連打方式のようにテンキー１４を用いた通常の文字入力操作が可能となり、一方、閉状態つまりテンキー１４等を使用できない状態では上部筐体１上のディスク型ジョグダイヤル３５を用いた文字入力操作が可能となる。特に、本発明実施形態の携帯電話端末は、上部筐体１上に設けられているディスク型ジョグダイヤル３５を用いた文字入力操作を可能にしているため、携帯電話端末が閉状態となっていてテンキー１４等を使用できない場合でも文字を入力できることが特徴となっている。
【００５３】
また、本実施形態の携帯電話端末は、入力された文字に応じて、複数の変換候補文字や変換候補単語を予測し、それら予測により得られた複数の変換候補文字や変換候補単語或いは連文節の候補単語等をディスプレイ３上に表示させ、それら複数の変換候補文字や変換候補単語或いは連文節の候補単語等の中から、ユーザが所望の文字や単語、連文節の単語等を選択可能とするような、予測変換機能を備えているとする。以下、テンキー１４を用いた通常の文字入力操作と予測変換機能を組み合わせた文字入力モードを、「通常予測変換文字入力モード」と呼び、一方、ディスク型ジョグダイヤル３５を用いた文字入力操作と予測変換機能を組み合わせた文字入力モードを、「ジョグ予測変換文字入力モード」と呼ぶことにする。
【００５４】
以下、本実施形態の携帯電話端末における文字入力時の動作を順を追って説明する。
【００５５】
先ず、本実施形態の携帯電話端末において、ＣＰＵ２１は、キー入力部３４のメール機能キー９が押下されたことを検出すると、メール処理部３０を制御してメール機能をアクティブにすると共に、当該メール処理部３０を制御して、表示部２６のディスプレイ３上に、メールのタイトルの入力、メール本文の新規作成や編集、メールの送信或いは受信、メールの受信箱や送信箱の内容表示などの各種メニュー項目と、その他カーソル等を表示させる。なお、当該メニュー項目の表示画面例についての図示は省略する。上記メニュー項目とカーソルがディスプレイ３の画面上に表示されている状態で、例えばディスク型ジョグダイヤル３５の回転ダイヤル６がユーザにより回転操作されると、ＣＰＵ２１は、その回転操作に応じてカーソルを画面上で動かす。そして、当該カーソルによりメール新規作成のメニュー項目が選択されている状態で、さらにユーザによりプッシュボタン８が押下操作されると、ＣＰＵ２１は、メール処理部３０を制御し、メールの新規作成モードを起動させる。またこの時、ＣＰＵ２１は、開閉検知用センサ２７から得られる開閉検知信号を確認することで、当該携帯電話端末が開状態であるのか或いは閉状態であるのかを判断する。
【００５６】
上記開状態か閉状態の何れあるかを判断すると、ＣＰＵ２１は、それら開状態か閉状態の何れかに応じて文字入力モードを切り替え設定する。具体的には、開状態（本発明にかかる第２の状態）のときには通常予測変換文字入力モードに設定し、閉状態（本発明にかかる第１の状態）のときにはジョグ予測変換文字入力モードに設定する。そして、開状態の文字入力モードである通常予測変換文字入力モードが設定された場合、ＣＰＵ２１は、メール処理部３０を制御することにより、テンキー１４を用いた前述のテンキー連打方式により入力された文字を表示部２６のディスプレイ３の画面上に表示させる。一方、閉状態の文字入力モードであるジョグ予測変換文字入力モードが設定された場合、ＣＰＵ２１は、メール処理部３０を制御し、ディスク型ジョグダイヤル３５を用いた本実施形態の文字入力方式により入力された文字を表示部２６のディスプレイ３の画面上に表示させる。
【００５７】
また、ＣＰＵ２１は、文字入力が行われている際にも常に開閉検知用センサ２７からの開閉検知信号の状態をモニタしており、当該開閉検知信号の状態が変化したときには、直ちに文字入力モードをその開閉検知信号の状態に応じて切り替え設定する。
【００５８】
〔文字入力モードの切り替え設定時のフローチャート〕
図５には、ＣＰＵ２１が、携帯電話端末の開閉状態に応じて文字入力モードを切り替え設定する際の動作フローを示す。なお、図５のフローに示す動作は、上述のようにメール機能キー９が押下され、さらにディスク型ジョグダイヤル３５が操作されて、電子メール本文の文字入力やタイトルの文字入力などの何れかの文字入力モードに遷移した後の割り込み処理として実行されるものである。
【００５９】
図５において、ＣＰＵ２１は、上記文字入力モードに遷移すると、ステップＳ１として、開閉検知用センサ２７にアクセスする。そして、ＣＰＵ２１は、ステップＳ２の処理として、上記開閉検知用センサ２７からの開閉検知信号を元に、携帯電話端末が閉状態であるか否かの判断を行う。当該ステップＳ２において閉状態であると判定した場合、ＣＰＵ２１は、ステップＳ３へ進み、文字入力モードを、ディスク型ジョグダイヤル３５を用いた文字入力操作と予測変換機能が組み合わされた上記ジョグ予測変換文字入力モードに設定する。一方、ステップＳ２にて閉状態でない（開状態である）と判定した場合、ＣＰＵ２１は、ステップＳ４へ進み、文字入力モードを、テンキー連打方式と予測変換機能が組み合わされた通常予測変換文字入力モードに設定する。これらステップＳ３或いはステップＳ４にて文字入力モードの設定を行った後、ＣＰＵ２１は、ステップＳ５の処理に進む。
【００６０】
ステップＳ５の処理に進むと、ＣＰＵ２１は、開閉検知用センサ２７からの開閉検知信号に変化が生じたことによる割り込み処理がなされたか否か、つまり携帯電話端末の開閉状態に変化が生じたか否かを判断し、開閉状態が変化したときにはステップＳ２以降の処理に戻って、その開閉状態に応じた文字入力モードの再設定を行う。一方、ステップＳ５において、開閉検知用センサ２７からの開閉検知信号に変化が生じていないとき、つまり携帯電話端末の開閉状態が変化していない場合、ＣＰＵ２１は、ステップＳ６にて文字入力が終了したと判断するまでステップＳ５〜ステップＳ６の処理を繰り返す。そして、ステップＳ６にて文字入力が終了したと判断すると、ＣＰＵ２１は、この図５のフローチャートの処理を終了する。
【００６１】
〔文字入力時の画面表示例〕
以下、上記ジョグ予測変換文字入力モードにおける文字入力の一連の流れを、ディスプレイ３上のユーザインターフェイス画像表示例と、ディスク型ジョグダイヤル３５の操作例とを用いて説明する。なお、これ以降に説明しているユーザインターフェイス画像の表示制御、及び、ディスク型ジョグダイヤル３５の操作に応じた表示制御は、前述のＣＰＵ２１がメール処理部３０と表示部２６を制御することにより実現されるものである。
【００６２】
〔第１の実施形態〕
図６〜図１３には、本発明の第１の実施形態として、ディスク型ジョグダイヤル３５の回転ダイヤル６とプッシュボタン８のみを用いて文字入力を行う場合の画面表示例を示す。
【００６３】
この第１の実施形態において、文字入力が行われる際の初期画面には、例えば図６に示すようなユーザインターフェイス画像が表示される。当該第１の実施形態のユーザインターフェイス画像は、上部表示領域４０と下部表示領域４１の二つに分けられている。
【００６４】
上部表示領域４０は、文字入力が行われる際のユーザインターフェイス画像では常に表示される。当該上部表示領域４０内には、一例として、五十音の各行を表す「あ」「か」「さ」〜「ん」の各文字と記号用の行を表す「記」の文字がそれぞれ表示された仮想キーが横方向に配列される行表示部４２と、五十音の最初の「あ」行の「あ」段の文字を共有した状態で当該「あ」行の残りの「い」〜「お」の段の各文字がそれぞれ表示された仮想キーが縦方向に配列される段表示部４３とが設けられる。なお、行表示部４２は、「記」の行の次に「あ」の行が繋げられたループ構成となされている。また、行配列部４２と段配列部４３とに囲まれた部分は、文字入力の遷移状態に応じた予測変換の候補が表示される、候補表示部４４となされている。なお、行表示部４２と段表示部４３の各仮想キーのうちの一つの仮想キーは、選択可能であることを明示するためにハイライト表示される。図６の初期画面の場合、行表示部４２の最左端の行（先頭行）の「あ」の文字の仮想キーがハイライト表示（４５）されている。
【００６５】
下部表示領域４１は、入力された文章が表示される領域である。また、当該下部表示領域４１には、文字の入力位置を明示するためのカーソル４６が表示される。図６の初期画面のように、未だ何も文字が入力されていない場合、カーソル４６は、当該下部表示領域４１内の例えば左上隅に表示される。
【００６６】
ここで、図６の初期画面の状態は行選択モードであり、当該行選択モード時にディスク型ジョグダイヤル３５の回転ダイヤル６がユーザにより回転操作されると、上記行表示部４２の各仮想キー上に表示されている各文字は、回転ダイヤル６の回転速度に応じた速度で且つその回転方向に応じた方向へ、一文字ずつ順次移動すると共に、段表示部４３の各仮想キー上に表示されている各文字は行表示部４２の最左端の行に含まれる各段の文字に変更される一方で、ハイライト表示４５は最左端の行位置のままとなされる。すなわち、本実施形態の場合、回転ダイヤル６の回転に応じてホール素子から発生する前記パルス数及び位相と、行表示部４２上での文字の移動速度と移動方向、及び段表示部４３上の文字の変更とが予め対応付けられており、図６の初期画面の状態のときに回転ダイヤル６が回転操作されると、ＣＰＵ２１は、上記回転ダイヤル６からのパルス数と位相に応じて、行表示部４２上で文字を移動表示させる際の移動速度と移動方向を制御すると共に、段表示部４３上の各文字を行表示部４２の最左端の行に含まれる各段の文字に変更させる一方で、ハイライト表示４５の位置は行表示部４２の最左端のままに制御する。具体的な表示例を挙げて説明すると、回転ダイヤル６が右方向に回転操作された場合、行表示部４２の各仮想キー上に表示される各文字上は一文字（一行）ずつ順次右方向へ移動すると共に、段表示部４３の各仮想キー上の文字は最左端のハイライト表示（４５）されている行に応じて変化し、一方、回転ダイヤル６が左方向に回転操作された場合、行表示部４２の各仮想キー上に表示される各文字は一文字（一行）ずつ順次左方向へ移動すると共に、段表示部４３の仮想キー上の文字は最左端のハイライト表示（４５）されている行に応じて変化する。したがって、図６の初期画面のときに、回転ダイヤル６が例えば右方向に二仮想キー相当分（二文字相当分）だけ回転操作された場合、行表示部４２の各仮想キー上の各文字は、図７に示すように左から順に「さ」「た」「な」〜「記」「あ」「か」になると共に、段表示部４３の各仮想キー上には、行表示部４２の左端の「さ」行の「さ」段の文字を共有した状態で当該「さ」行の残りの「し」〜「そ」の段の各文字が表示される。一方、ハイライト表示４５の位置は、行表示部４２の最左端のままとなされて変化しない。
【００６７】
なお、これら図６や図７の表示状態は、行表示部４２内の各文字の何れかを回転ダイヤル６の操作により選択可能な状態を表しており、ハイライト表示（４５）されている仮想キーの文字が現時点で選択可能であることを表している。
【００６８】
次に、図７のように「さ」の文字の仮想キーがハイライト表示（４５）されている状態のユーザインターフェイス画像のときに、ディスク型ジョグダイヤル３５のプッシュボタン８が押下操作されると、図８に示すように、上記候補表示部４４内に、当該「さ」の文字から始まる予測変換の候補が、優先順位の高い順に左上端から順番に並べられて表示される。すなわち、この時のＣＰＵ２１は、プッシュボタン８の押下操作信号を受け取ると、行選択モードから段選択モードに遷移し、当該段選択モード時には、段表示部４３上でハイライト表示（４５）されている仮想キーの文字から始まる予測変換候補を、ＲＯＭ２４内に用意されている辞書から読み出して優先順位の高い順に左上端から順番に並べて候補表示部４４内に表示させる。
【００６９】
さらに、この図８のユーザインターフェイス画像のときに、ディスク型ジョグダイヤル３５の回転ダイヤル６がユーザにより回転操作された場合、ハイライト表示４５は、段表示部４３内で、回転ダイヤル６の回転速度に応じた速度で且つその回転方向に応じた方向へ一仮想キー分（一文字分）ずつ順次移動する。すなわち、回転ダイヤル６が右方向に回転操作された場合、ハイライト表示４５は、段表示部４３の各仮想キー上を一仮想キー分（一文字分）ずつ順次下方向へ移動し、一方、回転ダイヤル６が左方向に回転操作された場合、段表示部４３の各仮想キー上を一仮想キー分（一文字分）ずつ順次上方向へ移動する。なお、回転ダイヤル６が右方向に回転操作されることでハイライト表示４５が段表示部４３の最後の仮想キーまで達した後、さらに回転ダイヤル６が右回転操作されたときに、ハイライト表示４５を当該段表示部４３の先頭の仮想キーに移動させるようなループ表示が行われても良い。このようなことを実現するため、本実施形態の携帯電話端末によれば、回転ダイヤル６の回転に応じたパルス数及び位相と、段表示部４３上でのハイライト表示４５の移動速度と移動方向とが予め対応付けられており、図８のユーザインターフェイス画像の状態のときに回転ダイヤル６が回転操作されると、ＣＰＵ２１は、当該回転ダイヤル６からのパルス数と位相に応じて、段表示部４４上でハイライト表示４５を移動表示させる際の移動速度と移動方向を制御する。したがって、図８のユーザインターフェイス画像の状態のときに、回転ダイヤル６が例えば右方向に四仮想キー相当分（四文字相当分）だけ回転操作されると、ハイライト表示４５は、図９に示すように「そ」の文字の仮想キーとなされる。またこの時、当該「そ」の文字が、予測変換候補を表示するための参照文字となされ、候補表示部４４内には、当該「そ」から始まる予測変換の候補が優先順位の高い順に左上端から順番に並べられて表示されることになる。つまり、この時のＣＰＵ２１は、ハイライト表示（４５）されている仮想キーの変更、つまり文字の変更に応じた予測変換候補を、ＲＯＭ２４内に用意されている辞書から読み出して優先順位の高い順に候補表示部４４内に並べて表示させる。
【００７０】
なお、これら図８や図９の表示状態は、段表示部４３の各仮想キー上の各文字の何れかを回転ダイヤル６の操作により選択可能な状態を表しており、ハイライト表示（４５）されている仮想キーの文字が現時点で選択可能であることを表している。
【００７１】
次に、図９のように、例えば「そ」の文字の仮想キーがハイライト表示（４５）され、当該「そ」の文字から始まる予測変換の候補が上記候補表示部４４内に表示されている状態のユーザインターフェイス画像のときに、ディスク型ジョグダイヤル３５のプッシュボタン８が押下操作されると、図１０に示すように、上記候補表示部４４内に表示される各予測変換候補のうち、一番目の候補である左上端の予測変換候補がハイライト表示（４８）される。また、この図１０のユーザインターフェイス画像のとき、カーソル４６上には、「そ」の文字が表示される。すなわち、この時のＣＰＵ２１は、プッシュボタン８の押下操作信号を受け取ると、段選択モードから、予測変換候補選択モードに遷移し、候補表示部４４内の先頭の予測変換候補をハイライト表示（４８）させる。
【００７２】
さらに、この図１０のユーザインターフェイス画像のときに、ディスク型ジョグダイヤル３５の回転ダイヤル６がユーザにより回転操作された場合、候補表示部４４内のハイライト表示４８は、回転ダイヤル６の回転速度に応じた速度で且つその回転方向に応じた優先順位の方向へ、一候補ずつ順次移動する。すなわちこの場合は、回転ダイヤル６の回転に応じたパルス数及び位相と、候補表示部４４内でのハイライト表示４８の移動速度と移動方向とが予め対応付けられており、図１０のユーザインターフェイス画像の状態のときに回転ダイヤル６が回転操作されると、ＣＰＵ２１は、当該回転ダイヤル６からのパルス数と位相に応じて、候補表示部４４内でハイライト表示４８を移動表示させる際の移動速度と移動方向を制御する。つまり、回転ダイヤル６が右方向に回転操作された場合、ハイライト表示４８は、候補表示部４４内の各予測変換候補で優先順位が低くなる方向へ一候補ずつ順次へ移動し、一方、回転ダイヤル６が左方向に回転操作された場合、候補表示部４４内の各予測変換候補で優先順位が高くなる方向へ一候補ずつ順次へ移動する。具体的な表示例を挙げて説明すると、図１０のユーザインターフェイス画像の状態のときに、回転ダイヤル６が例えば右方向に四候補相当分だけ回転操作されると、ハイライト表示４８は、図１１に示すように「想像」の予測変換候補となされる。
【００７３】
なお、これら図１０や図１１の表示状態は、候補表示部４４内の各予測変換候補の何れかを回転ダイヤル６の操作により選択可能な状態を表しており、ハイライト表示（４８）されている予測変換候補が現時点で選択可能であることを表している。
【００７４】
次に、図１１のように、例えば「想像」の予測変換候補がハイライト表示（４８）されている状態のユーザインターフェイス画像のときに、ディスク型ジョグダイヤル３５のプッシュボタン８が押下操作されると、図１２に示すように、カーソル４６上には「想像」の文字が表示されるようになる。またこのとき、上記候補表示部４４内には、予測変換候補内からの選択処理を終了（つまり予測変換候補を確定）することを表す「閉じる」の指示アイコン４９と、「想像」に続く各予測変換候補とが表示されることになる。
【００７５】
そして、図１２のように、「閉じる」の指示アイコン４９と各予測変換候補とが表示されており、さらに「閉じる」の指示アイコン４９がハイライト表示（４８）されている状態のユーザインターフェイス画像のときに、ディスク型ジョグダイヤル３５のプッシュボタン８が押下操作されると、「想像」の文字の入力が確定し、図１３に示すように、下部表示領域４１内で「想像」文字の例えば右側にカーソル４６が移動する。以上により、「想像」の文字の入力が行われたことになる。
【００７６】
なお、これら図１２や図１３の表示状態は、予測変換候補の確定とそれによる文字入力の確定を、回転ダイヤル６とプッシュボタン８の操作により指示可能な状態を表している。
【００７７】
その後、再度ディスク型ジョグダイヤル３５のプッシュボタン８が押下操作されると、上部表示領域４０は、図６の初期画面と同様であるが下部表示領域は図１３のように「想像」の文字とその右隣にカーソル４６が表示された状態のユーザインターフェイス画像が表示されることになる。すなわち、この時のＣＰＵ２１は、プッシュボタン８の押下操作信号を受け取ると、予測変換候補の選択モードから行選択のモードに遷移する。これ以降、次の文字入力を行う際には、上述の図６〜図１３で説明した手順で新たな文字入力が行われることになる。
【００７８】
なお、本実施形態では、回転ダイヤル６の操作に応じて各仮想キー上の文字が移動するイメージを想定しているが、回転ダイヤル６の操作に応じて仮想キー自体が移動するようなイメージであっても良い。このことは以下の各実施形態においても同様である。
【００７９】
〔第２の実施形態〕
次に、本発明の第２の実施形態として、ディスク型ジョグダイヤル３５の回転ダイヤル６と十字キー７，プッシュボタン８を用いた文字入力の例を説明する。なお、第２の実施形態の文字入力例の説明には、第１の実施形態で用いた図６〜図１３を流用する。
【００８０】
この第２の実施形態の場合、文字入力が行われる際の初期画面には、前述の図６と同様のユーザインターフェイス画像が表示される。
【００８１】
ここで、当該第２の実施形態において、図６の初期画面の状態のときに、ディスク型ジョグダイヤル３５の回転ダイヤル６がユーザにより回転操作されると、第１の実施形態の場合と同様に、上記行表示部４２の各仮想キー上に表示される各文字が、回転ダイヤル６の回転操作に応じて順次移動すると共に、段表示部４３の各仮想キー上に表示される各文字も変更される。なお、第２の実施形態の場合の図６の表示状態は、行表示部４２の各仮想キー上の各文字の何れかを回転ダイヤル６の操作により選択可能な行選択モードの状態を表している。この図６の初期画面にて回転ダイヤル６が例えば右方向に二仮想キー相当分（二文字相当分）だけ回転操作されると、行表示部４２と段表示部４３の各仮想キー上の各文字は、前述の図７に示すようになる。また、このときのハイライト表示４５は「さ」の文字の仮想キーとなされる。
【００８２】
次に、第２の実施形態において、図７のユーザインターフェイス画像のときに、ディスク型ジョグダイヤル３５の十字キー７の下ボタンが一回押下操作されると、段選択モードに遷移し、前述の図８に示したように当該「さ」が予測変換候補の参照文字となされ、候補表示部４４内には、その「さ」の文字から始まる予測変換の候補が、優先順位の高い順に左上端から順番に並べられて表示される。
【００８３】
さらに、この図８のユーザインターフェイス画像のときに、ディスク型ジョグダイヤル３５の十字キー７の下ボタンが押下操作された場合、ハイライト表示４５は、その下ボタンの押下回数に応じて、段表示部４３内で一仮想キー分（一文字分）ずつ順次下方向へ移動する。逆に、十字キー７の上ボタンが押下操作された場合、ハイライト表示４５は、その上ボタンの押下回数に応じて、段表示部４３内で一仮想キー分（一文字分）ずつ順次上方向へ移動する。なお、十字キー７の下ボタンが押下操作されることで、ハイライト表示４５が段表示部４３の最後の仮想キーまで達した後、さらに下ボタンが押下操作されたときに、ハイライト表示４５を当該段表示部４３の先頭の仮想キーに移動させるようなループ表示が行われても良い。すなわち第２の実施形態の場合の携帯電話端末は、十字キー７の上又は下ボタンの押下操作と、段表示部４３上でのハイライト表示４５の移動方向とが予め対応付けられており、図８のユーザインターフェイス画像の状態のときに十字キー７の上又は下ボタンが押下操作されると、ＣＰＵ２１は、当該上又は下ボタンの押下操作に応じて、段表示部４４上でハイライト表示４５を順次上又は下方向へ移動表示させる制御を行う。そして、図８のユーザインターフェイス画像の状態のときに、十字キー７の例えば下ボタンが四回押下操作されると、ハイライト表示４５は、図９に示したように「そ」の文字の仮想キーとなされ、またこの時、候補表示部４４内には、「そ」の文字から始まる予測変換の候補が、優先順位の高い順に左上端から順番に表示される。
【００８４】
なお、第２の実施形態の場合の図７〜図９の表示状態は、段表示部４３内の各仮想キー上の各文字の何れかを十字キー７の上又は下ボタンの押下操作により選択可能な段選択モードの状態を表している。
【００８５】
次に、この第２の実施形態において、図９のようなユーザインターフェイス画像のときに、ディスク型ジョグダイヤル３５の十字キー７の右ボタンが押下操作されると、予測変換候補選択モードに遷移し、図１０に示したように、上記候補表示部４４内の各予測変換候補のうち一番目の候補（左上端の予測変換候補）がハイライト表示（４８）される。また、カーソル４６上には、「そ」の文字が表示される。
【００８６】
さらに、当該第２の実施形態において、図１０のユーザインターフェイス画像のときに、十字キー７の右ボタンが押下操作された場合、候補表示部４４内のハイライト表示４８は、その右ボタンの押下回数に応じて、候補表示部４４内で一候補ずつ優先順位の低い方へ移動する。逆に、十字キー７の左ボタンが押下操作された場合、ハイライト表示４８は、その左ボタンの押下回数に応じて、候補表示部４４内で一候補ずつ優先順位の高い方へ移動する。なお、候補表示部４４内に表示されている予測変換候補の最後までハイライト表示４８が移動した後、さらに右ボタンが押下操作されたときには、次の新たな予測変換候補が表示されることになる。すなわち第２の実施形態の場合の携帯電話端末は、十字キー７の右又は左ボタンの押下操作と、候補表示部４４上でのハイライト表示４５の移動方向とが予め対応付けられており、図１０のユーザインターフェイス画像の状態のときに十字キー７の右又は左ボタンが押下操作されると、ＣＰＵ２１は、当該右又は左ボタンの押下操作に応じて、候補表示部４４上でハイライト表示４８を優先順位の低い方又は高い方へ順次移動表示させる制御を行う。そして、第２の実施形態において、図１０のユーザインターフェイス画像の状態のときに、十字キー７の右ボタンが例えば四回押下操作されると、ハイライト表示４８は、図１１に示したように「想像」の予測変換候補となされる。
【００８７】
なお、これら図１０や図１１の表示状態は、候補表示部４４内の各予測変換候補の何れかを十字キー７の右又は左ボタンの押下操作により選択可能な、予測変換候補選択モードの状態を表しており、ハイライト表示（４８）されている予測変換候補が現時点で選択可能であることを表している。
【００８８】
次に、この第２の実施形態において、図１２のユーザインターフェイス画像のときに、ディスク型ジョグダイヤル３５のプッシュボタン８が押下操作されると、前述の第１の実施形態の場合と同様、図１３に示したように、カーソル４６上には「想像」の文字が表示され、またこのとき、上記候補表示部４４内には、予測変換候補を確定することを表す「閉じる」の指示アイコン４９と「想像」に続く各予測変換候補とが表示される。
【００８９】
なお、第２の実施形態の場合の図１２や図１３の表示状態は、予測変換候補の確定とそれによる文字入力の確定を、十字キー７とプッシュボタン８の操作により指示可能な状態を表している。
【００９０】
そして、図１２のユーザインターフェイス画像のときに、ディスク型ジョグダイヤル３５のプッシュボタン８が押下操作されると、「想像」の文字の入力が確定し、図１３に示すように、下部表示領域４１内で「想像」文字の例えば右側にカーソル４６が移動する。以上により、「想像」の文字の入力が行われたことになる。
【００９１】
その後、再度ディスク型ジョグダイヤル３５のプッシュボタン８が押下操作されると、行選択モードに遷移し、上部表示領域４０は図６の初期画面と同様であるが、下部表示領域は図１３のように「想像」の文字とその右隣にカーソル４６が表示された状態のユーザインターフェイス画像が表示されることになる。これ以降、次の文字入力を行う際には、上述した第２の実施形態の場合の手順により新たな文字入力が行われることになる。
【００９２】
〔第３の実施形態〕
次に、本発明の第３の実施形態として、例えば前述の図１０のように候補表示部４４内に表示されている各予測変換候補内に所望の予測変換候補が無いとき、予測変換候補を表示する際の参照文字を二文字分まで長くする場合の文字入力例を説明する。なお、以下、例えば前述の第１或いは第２の実施形態と同様の操作により、図１０と同様のユーザインターフェイス画像が表示された後の状態から説明する。
【００９３】
図１０のように、段選択モードに遷移した状態で、段表示部４３の「そ」の文字の仮想キーがハイライト表示（４５）されると共にカーソル４６上には「そ」の文字が表示され、さらに予測変換候補が未確定となされているユーザインターフェイス画像のときに、ディスク型ジョグダイヤル３５の十字キー７の右ボタンが押下操作されると、第３の実施形態の場合は、図１４に示すように、図１０で選択されていた「さ」行の先頭文字である「さ」にハイライト表示４５が移動する。また、カーソル４６上には、既に選択されていた「そ」の文字の後に「さ」が続けられた「そさ」の二文字が表示され、候補表示部４４内には当該「そさ」の二文字から始まる予測変換の候補が優先順に並べられて表示される。つまりこの場合、予測変換候補を表示する際の参照文字は「そさ」の二文字となっている。
【００９４】
次に、当該第３の実施形態において、図１４のユーザインターフェイス画像のときに、ディスク型ジョグダイヤル３５の回転ダイヤル６がユーザにより回転操作されると、行表示部４２上のハイライト表示４５が当該回転ダイヤル６の回転操作に応じて移動する。なお、ディスク型ジョグダイヤル３５の操作に応じたＣＰＵ２１による表示制御等については前述同様であるため、これ以降その説明は省略する。この図１４のユーザインターフェイス画像の状態のときに、回転ダイヤル６が例えば右方向に二仮想キー相当分（二文字相当分）だけ回転操作されると、行表示部４２上のハイライト表示４５は、図１５に示すように「な」の文字の仮想キーとなされ、また段表示部４３の各仮想キー上には「な」行の各段の文字が表示されることになる。またこの時、カーソル４６上の文字は、先の「そさ」の二文字のうち「さ」の文字が上記回転ダイヤル６の操作に応じて順次変更されて「な」となり、それら「そ」と「な」からなる「そな」の二文字が表示される。同時に、候補表示部４４内には、当該「そな」の二文字から始まる予測変換の候補が優先順に表示されることになる。つまりこの場合、予測変換候補を表示する際の参照文字は「そな」の二文字となっている。
【００９５】
さらに、当該第３の実施形態において、図１５のユーザインターフェイス画像のときに、ディスク型ジョグダイヤル３５の十字キー７の下ボタンがユーザにより押下操作されると、段選択モードに遷移してハイライト表示４５は段表示部４３へ移る。つまり、当該図１５のユーザインターフェイス画像の状態のときに、十字キー７の下ボタンが例えば一回押下操作されると、図１６に示すように、ハイライト表示４５は「に」の文字の仮想キーとなされる。またこの時、カーソル４６上の文字は、先の「そな」の二文字のうち「な」の文字が上記十字キー７の下ボタンの押下操作に応じて変更されて「に」となり、それら「そ」と「に」からなる「そに」の二文字が表示される。同時に、候補表示部４４内には、当該「そに」の二文字から始まる予測変換の候補が優先順に表示されることになる。つまりこの場合、予測変換候補を表示する際の参照文字は「そに」の二文字となっている。
【００９６】
次に、この第３の実施形態において、図１６のようなユーザインターフェイス画像のときに、ディスク型ジョグダイヤル３５のプッシュキー８が押下操作されると、予測変換候補選択モードに遷移し、図１７に示すように、上記候補表示部４４内の各予測変換候補のうち、一番目の候補がハイライト表示（４８）され、予測変換候補の選択が可能な状態となされる。
【００９７】
さらに、当該第３の実施形態において、図１７のユーザインターフェイス画像のときに、ディスク型ジョグダイヤル３５の回転ダイヤル６が回転操作された場合、候補表示部４４内のハイライト表示４８は、その回転操作に応じて順次移動する。そして、第３の実施形態において、図１７のユーザインターフェイス画像の状態のときに、回転ダイヤル６が例えば一候補相当分だけ右方向に回転操作されると、ハイライト表示４８は、図１８に示したように「ソニア」の予測変換候補となされる。
【００９８】
次に、この第３の実施形態において、図１８のユーザインターフェイス画像のときに、ディスク型ジョグダイヤル３５のプッシュボタン８が押下操作されると、図１９に示すように、カーソル４６上には「ソニア」の文字が表示され、またこのとき、上記候補表示部４４内には、予測変換候補を確定することを表す「閉じる」の指示アイコン４９と「ソニア」に続く各予測変換候補とが表示される。
【００９９】
そして、図１９のユーザインターフェイス画像のときに、再度ディスク型ジョグダイヤル３５のプッシュボタン８が押下操作されると、「ソニア」の文字の入力が確定し、図２０に示すように、下部表示領域４１内で「ソニア」文字の右側にカーソル４６が移動する。以上により、「ソニア」の文字の入力が行われたことになる。
【０１００】
その後、再度ディスク型ジョグダイヤル３５のプッシュボタン８が押下操作されると、行選択モードに遷移し、上部表示領域４０は図６の初期画面と同様であるが、下部表示領域は図２０のように「ソニア」の文字とその右隣にカーソル４６が表示された状態のユーザインターフェイス画像が表示されることになる。これ以降、次の文字入力を行う際には、上述した第３の実施形態の場合の手順により新たな文字入力が行われることになる。
【０１０１】
なお、第３の実施形態では、予測変換候補の選択の際の参照文字数を二文字とした例を挙げたが、当該第３の実施形態の文字入力手法によれが、参照文字数が三文字以上であっても対応可能である。
【０１０２】
〔第４の実施形態〕
上述の第１〜第３の実施形態は、仮名文字入力の例を説明したが、本発明は英数字入力にも適用可能である。
【０１０３】
英文字入力を行う場合の本発明の第４の実施形態について図２１，図２２を用いて説明する。図２１は、当該第４の実施形態において、英文字入力が行われる際の初期画面のユーザインターフェイス画像を示しており、図２２は、候補表示部４４内に予測変換候補が表示されている状態を示している。なお、前述の第１〜第３の実施形態で説明した仮名文字入力用のユーザインターフェイス画像と、これら図２１や図２２のような英文字入力用のユーザインターフェイス画像との間のモード切り替えは、例えば前述した切替キー１３の押下操作により指示することができる。すなわち、仮名文字入力用のユーザインターフェイス画像が表示されているときに切替キー１３が押下操作されると、ＣＰＵ２１は、英文字入力用のユーザインターフェイス画像へ切り替え、逆に、英文字入力用のユーザインターフェイス画像が表示されているときに切替キー１３が押下操作されると、ＣＰＵ２１は、仮名文字入力用のユーザインターフェイス画像へ切り替える。
【０１０４】
当該第４の実施形態のユーザインターフェイス画像の場合、下部表示領域４１は英文字のワードが表示される以外は略々前述の仮名文字入力の場合と同様であるが、上部表示領域４０は前述の行表示部４２，段表示部４３に代えて図２１のようなアルファベット表示部４７が表示される。
【０１０５】
当該アルファベット表示部４７の各仮想キー上には、アルファベットの２６文字と「！」や「？」」等の記号の全てを表示することが望ましいが、ディスプレイ３の画面の大きさの制限によりそれら全てを表示できない場合は、図２１や図２２のように一部のみ表示することも可能である。アルファベット表示部２７の各仮想キー上にアルファベットの一部文字のみを表示することにした場合、ディスク型ジョグダイヤル３５の回転ダイヤル６の回転操作、或いは十字キー７の左，右ボタンの押下操作に応じて、アルファベット表示部２７の各仮想キー上に表示される文字を順次スクロールすることで全てのアルファベット文字と記号を表示可能とする。
【０１０６】
アルファベット表示部２７上のハイライト表示４５は、前述の第１〜第３の実施形態の場合と同様に、ディスク型ジョグダイヤル３５の回転ダイヤル６の回転操作や十字キー７の左，右ボタンの押下操作に応じて移動表示する。また、候補表示部４４内での予測変換候補の選択や確定についても、前述の第１〜第３の実施形態の場合と同様に、ディスク型ジョグダイヤル３５のプッシュボタン８の押下操作等に応じて行われる。
【０１０７】
〔文字入力時の詳細なフローチャート〕
次に、本発明の第５の実施形態として、上述した第１〜第４の各実施形態における文字入力操作を基本として踏まえた上で、上記ディスク型ジョグダイヤル３５を用いた文字入力操作を実現するための具体的且つ詳細な流れを説明する。図２３〜図２８には、第５の実施形態の文字入力動作のフローチャートを示す。この第５の実施形態のユーザインターフェイス画像については、前述の図６〜図２２で用いた画像と大きく変わらないためそれらの図示は省略する。
【０１０８】
図２３において、携帯電話端末が閉状態の時の文字入力モードに遷移すると、ＣＰＵ２１は、先ずステップＳ１０の処理として、ディスク型ジョグダイヤル３５からの操作信号を監視しており、当該ディスク型ジョグダイヤル３５から操作信号が供給されたか否か判断する。
【０１０９】
ステップＳ１０にてディスク型ジョグダイヤル３５から操作信号が供給されたと判断した場合、ＣＰＵ２１は、前記回転ダイヤル６、十字キー７、プッシュボタン８のいずれがユーザにより操作されたのかを判断する処理に移行する。すなわち、ＣＰＵ２１は、ユーザにより操作されたのは回転ダイヤル６であるかをステップＳ１２にて判定し、当該ステップＳ１２にて回転ダイヤル６が操作されたと判定した時には行選択モードに遷移してステップＳ１９の処理へ進み、操作されたのは回転ダイヤル６でないと判定した時にはステップＳ１３の判定処理に進む。ステップＳ１３に進むと、ＣＰＵ２１は、ユーザによる操作はプッシュボタン８の押下操作であるのかを判定し、当該ステップＳ１３にてプッシュボタン８が押下操作されたと判定した時には当該文字入力処理を終了し、操作されたのはプッシュボタン８でないと判定した時にはステップＳ１４の判定処理に進む。ステップＳ１４に進むと、ＣＰＵ２１は、ユーザによる操作は十字キー７の上ボタンの押下操作であるのかを判定し、当該ステップＳ１４にて上ボタンが押下操作されたと判定した時にはステップＳ１８の処理に進み、操作されたのは上ボタンでないと判定した時にはステップＳ１５の判定処理に進む。ステップＳ１５に進むと、ＣＰＵ２１は、ユーザによる操作は十字キー７の下ボタンの押下操作であるのかを判定し、当該ステップＳ１５にて下ボタンが押下操作されたと判定した時にはステップＳ１８の処理に進み、操作されたのは下ボタンでないと判定した時にはステップＳ１６の判定処理に進む。ステップＳ１６に進むと、ＣＰＵ２１は、ユーザによる操作は十字キー７の右ボタンの押下操作であるのかを判定し、当該ステップＳ１６にて右ボタンが押下操作されたと判定した時にはステップＳ１８の処理に進み、操作されたのは右ボタンでないと判定した時にはステップＳ１７の判定処理に進む。ステップＳ１７に進むと、ＣＰＵ２１は、ユーザによる操作は十字キー７の左ボタンの押下操作であるのかを判定し、当該ステップＳ１７にて左ボタンが押下操作されたと判定した時にはステップＳ１８の処理に進み、操作されたのは左ボタンでないと判定した時にはステップＳ１０の処理に戻る。ステップＳ１４〜ステップＳ１７からステップＳ１８の処理に進んだ場合、ＣＰＵ２１は、それら各ステップＳ１４〜ステップＳ１７にて何れか押下操作された上，下，左，右ボタンに対応する方向へカーソル４６を移動させた後、ステップＳ１０の処理に戻る。
【０１１０】
ステップＳ１２にて回転ダイヤル６が操作されたと判定してステップＳ１９の処理に進むと、ＣＰＵ２１は、その回転ダイヤル６の回転操作に応じて、前記行表示部４２内でのハイライト表示４５を移動（行スクロール）させる。当該ステップＳ１９の処理後、ＣＰＵ２１は、ステップＳ２０の処理へ処理を進める。
【０１１１】
ステップＳ２０の処理に進むと、ＣＰＵ２１は、ディスク型ジョグダイヤル３５からの操作信号の監視判定を行う。当該ステップＳ２０にて、ディスク型ジョグダイヤル３５から操作信号が供給されたと判断された場合、ＣＰＵ２１は、前記回転ダイヤル６、十字キー７、プッシュボタン８のいずれがユーザにより操作されたのかを判断する処理に移行する。すなわち、ＣＰＵ２１は、操作されたのは回転ダイヤル６であるかをステップＳ２２にて判定し、当該ステップＳ２２にて回転ダイヤル６が操作されたと判定した時にはステップＳ１９の処理へ戻り、操作されたのは回転ダイヤル６でないと判定した時にはステップＳ２３の判定処理に進む。ステップＳ２３に進むと、ＣＰＵ２１は、ユーザ操作はプッシュボタン８の押下操作であるのか判定し、当該ステップＳ２３にてプッシュボタン８が押下操作されたと判定した時には、段選択モードに遷移して図２４のステップＳ３０へ処理を進め、操作されたのはプッシュボタン８でないと判定した時にはステップＳ２４の判定処理に進む。ステップＳ２４に進むと、ＣＰＵ２１は、ユーザによる操作は十字キー７の上ボタンの押下操作であるのかを判定し、当該ステップＳ２４にて上ボタンが押下操作されたと判定した時にはステップＳ２０の処理に戻り、操作されたのは上ボタンでないと判定した時にはステップＳ２５の判定処理に進む。ステップＳ２５に進むと、ＣＰＵ２１は、ユーザによる操作は十字キー７の下ボタンの押下操作であるのかを判定し、当該ステップＳ２５にて下ボタンが押下操作されたと判定した時には図２４のステップＳ３０へ処理を進め、操作されたのは下ボタンでないと判定した時にはステップＳ２６の判定処理に進む。ステップＳ２６に進むと、ＣＰＵ２１は、ユーザによる操作は十字キー７の右ボタンの押下操作であるのかを判定し、当該ステップＳ２６にて右ボタンが押下操作されたと判定した時にはステップＳ１９の処理に戻り、操作されたのは右ボタンでないと判定した時にはステップＳ２７の判定処理に進む。ステップＳ２７に進むと、ＣＰＵ２１は、ユーザによる操作は十字キー７の左ボタンの押下操作であるのかを判定し、当該ステップＳ２７にて左ボタンが押下操作されたと判定した時にはステップＳ１９の処理に戻り、操作されたのは左ボタンでないと判定した時にはステップＳ２０の処理に戻る。ステップＳ２６，ステップＳ２７からステップＳ１９の処理に戻った場合、ＣＰＵ２１は、当該ステップＳ１９にて、左又は右ボタンに対応する方向へ行表示部４２のハイライト表示４５を移動させる。
【０１１２】
図２４のステップＳ３０へ処理が進むと、ＣＰＵ２１は、行表示部４２内でハイライト表示（４５）されている仮想キー上の文字を含む段表示部４３内の各文字を選択可能な状態にすると共に、候補表示部４４内に、段表示部４３内でハイライト表示（４５）されている仮想キーの文字を参照文字とした予測変換候補を表示させる。このステップＳ３０の処理後、ＣＰＵ２１は、ステップＳ３１へ処理を進める。
【０１１３】
ステップＳ３１の処理に進むと、ＣＰＵ２１は、ディスク型ジョグダイヤル３５からの操作信号の監視判定を行う。当該ステップＳ３１にて、ディスク型ジョグダイヤル３５から操作信号が供給されたと判断された場合、ＣＰＵ２１は、回転ダイヤル６、十字キー７、プッシュボタン８のいずれが操作されたのかを判断する処理に移行する。すなわち、ＣＰＵ２１は、操作されたのは回転ダイヤル６であるかをステップＳ３３にて判定し、回転ダイヤル６が操作されたと判定した時にはステップＳ４１の処理へ進み、回転ダイヤル６は操作されていないと判定した時にはステップＳ３４の判定処理に進む。ステップＳ３４に進むと、ＣＰＵ２１は、プッシュボタン８が押下操作されたのかを判定し、プッシュボタン８が押下操作されたと判定した時には、ステップＳ４０へ処理を進め、当該ステップＳ４０において上記候補表示部４４内でハイライト表示（４８）されている予測変換候補を確定し、当該確定された候補を下部表示領域４１内に表示させて、文字の入力を確定する。一方、ステップＳ３４にて、操作されたのはプッシュボタン８でないと判定した場合、ＣＰＵ２１は、ステップＳ３５の判定処理に進む。ステップＳ３５に進むと、ＣＰＵ２１は、ユーザによる操作は十字キー７の上ボタンの押下操作であるのかを判定し、上ボタンの押下操作であると判定した時にはステップＳ４１の処理に進み、操作されたのは上ボタンでないと判定した時にはステップＳ３６の判定処理に進む。ステップＳ３６に進むと、ＣＰＵ２１は、ユーザによる操作は十字キー７の下ボタンの押下操作であるのかを判定し、下ボタンの押下操作であると判定した時にはステップＳ４１の処理に進み、操作されたのは下ボタンでないと判定した時にはステップＳ３７の判定処理に進む。ステップＳ３７に進むと、ＣＰＵ２１は、ユーザによる操作は十字キー７の右ボタンの押下操作であるのかを判定し、右ボタンの押下操作であると判定した時には図２５のステップＳ６１へ処理を進め、操作されたのは右ボタンでないと判定した時にはステップＳ３８の判定処理に進む。ステップＳ３８に進むと、ＣＰＵ２１は、ユーザによる操作は十字キー７の左ボタンの押下操作であるのかを判定し、左ボタンの押下操作であると判定した時にはステップＳ３１の処理に戻り、操作されたのは左ボタンでないと判定した時には図２３のステップＳ１０の処理に戻る。
【０１１４】
ステップＳ３３、ステップＳ３５、又は、ステップＳ３６からステップＳ４１の処理に進むと、ＣＰＵ２１は、ステップＳ３３での回転ダイヤル６の回転操作、ステップＳ３５での上ボタンの押下操作、又は、ステップＳ３６での下ボタンの押下操作に応じて、段表示部４３内のハイライト表示４５を移動させると共に、そのハイライト表示４５の仮想キー上の文字に対応した新たな予測変換候補を候補表示部４４内に表示させる。当該ステップＳ４１の処理の後、ＣＰＵ２１は、図２５のステップＳ５０へ処理を進める。
【０１１５】
図２５のステップＳ５０の処理に進むと、ＣＰＵ２１は、ディスク型ジョグダイヤル３５からの操作信号の監視判定を行う。当該ステップＳ５０にて、ディスク型ジョグダイヤル３５から操作信号が供給されたと判断された場合、ＣＰＵ２１は、回転ダイヤル６、十字キー７、プッシュボタン８のいずれが操作されたのかを判断する処理に移行する。すなわち、ＣＰＵ２１は、操作されたのは回転ダイヤル６であるかをステップＳ５１にて判定し、回転ダイヤル６が操作されたと判定した時には図２４のステップＳ４１へ処理を戻し、回転ダイヤル６は操作されていないと判定した時にはステップＳ５２の判定処理に進む。ステップＳ５２に進むと、ＣＰＵ２１は、プッシュボタン８が押下操作されたのかを判定し、プッシュボタン８が押下操作されたと判定した時には、ステップＳ５９へ処理を進め、当該ステップＳ５９において上記候補表示部４４内でハイライト表示（４８）されている予測変換候補を確定し、その確定された候補を下部表示領域４１内に表示させて、文字の入力を確定する。一方、ステップＳ５２にて、操作されたのはプッシュボタン８でないと判定した場合、ＣＰＵ２１は、ステップＳ５３の判定処理に進む。ステップＳ５３に進むと、ＣＰＵ２１は、ユーザによる操作は十字キー７の上ボタンの押下操作であるのかを判定し、上ボタンの押下操作であると判定した時には図２４のステップＳ４１の処理に戻り、操作されたのは上ボタンでないと判定した時にはステップＳ５４の判定処理に進む。ステップＳ５４に進むと、ＣＰＵ２１は、ユーザによる操作は十字キー７の下ボタンの押下操作であるのかを判定し、下ボタンの押下操作であると判定した時には図２４のステップＳ４１の処理に戻り、操作されたのは下ボタンでないと判定した時にはステップＳ５５の判定処理に進む。ステップＳ５５に進むと、ＣＰＵ２１は、ユーザによる操作は十字キー７の右ボタンの押下操作であるのかを判定し、右ボタンの押下操作であると判定した時には、予測変換候補選択モードに遷移してステップＳ６１の処理に進み、操作されたのは右ボタンでないと判定した時にはステップＳ５６の判定処理に進む。ステップＳ５６に進むと、ＣＰＵ２１は、ユーザによる操作は十字キー７の左ボタンの押下操作であるのかを判定し、左ボタンの押下操作であると判定した時にはステップＳ５０の処理に戻り、操作されたのは左ボタンでないと判定した時には図２３のステップＳ１０の処理に戻る。
【０１１６】
ステップＳ５５からステップＳ６１の処理へ進むと、ＣＰＵ２１は、候補表示部４４内のハイライト表示４８を移動可能（スクロール可能）、つまり候補表示部４４内の各予測変換候補の選択を可能に設定した後、ステップＳ６２へ処理を進める。
【０１１７】
ステップＳ６２の処理に進むと、ＣＰＵ２１は、ディスク型ジョグダイヤル３５からの操作信号の監視判定を行い、操作信号が供給されたと判断された場合には、回転ダイヤル６、十字キー７、プッシュボタン８のいずれが操作されたのかを判断する処理に移行する。すなわち、ＣＰＵ２１は、回転ダイヤル６が操作されたか否かをステップＳ６４にて判定し、回転ダイヤル６が操作されたと判定した時には図２６のステップＳ８０へ処理を進め、回転ダイヤル６が操作されていないと判定した時にはステップＳ６５の判定処理に進む。ステップＳ６５に進むと、ＣＰＵ２１は、プッシュボタン８が押下操作されたかを判定し、プッシュボタン８が押下操作されたと判定した時には、ステップＳ７１へ処理を進め、当該ステップＳ７１において上記候補表示部４４内でハイライト表示（４８）されている予測変換候補を確定し、その確定された候補を下部表示領域４１内に表示させて、文字の入力を確定する。一方、ステップＳ６５にて、操作されたのはプッシュボタン８でないと判定した場合、ＣＰＵ２１は、ステップＳ６６の判定処理に進む。ステップＳ６６に進むと、ＣＰＵ２１は、ユーザによる操作は十字キー７の上ボタンの押下操作であるのかを判定し、上ボタンの押下操作であると判定した時にはステップＳ７２の処理へ進む。当該ステップＳ７２の処理に進むと、ＣＰＵ２１は、候補表示部４４内でハイライト表示（４８）されている予測変換候補に対して、上ボタンの押下操作回数に応じて濁点→半濁点→通常の順に変換を行った後、ステップＳ６１へ処理を戻す。一方、ステップＳ６６において、上ボタンは操作されていないと判定した時、ＣＰＵ２１は、ステップＳ６７の判定処理に進む。ステップＳ６７に進むと、ＣＰＵ２１は、ユーザによる操作は十字キー７の下ボタンの押下操作であるのかを判定し、下ボタンの押下操作であると判定した時には図２３のステップＳ１０の処理に戻り、操作されたのは下ボタンでないと判定した時にはステップＳ６８の判定処理に進む。ステップＳ６８に進むと、ＣＰＵ２１は、ユーザによる操作は十字キー７の右ボタンの押下操作であるのかを判定し、右ボタンの押下操作であると判定した時にはステップＳ６９の処理に進み、操作されたのは右ボタンでないと判定した時には図２７のステップＳ９０へ処理を進める。ステップＳ６９に進むと、ＣＰＵ２１は、ユーザによる操作が十字キー７の左ボタンの押下操作であるか否かにかかわらず、処理をステップＳ６２へ戻す。
【０１１８】
図２６のステップＳ８０へ進むと、ＣＰＵ２１は、回転ダイヤル６の回転操作に応じて、候補表示部４４内のハイライト表示４８を移動（候補のスクロール）させた後、ステップＳ８１へ処理を進める。
【０１１９】
ステップＳ８１の処理に進むと、ＣＰＵ２１は、ディスク型ジョグダイヤル３５からの操作信号の監視判定を行い、操作信号が供給されたと判断された場合には、回転ダイヤル６、十字キー７、プッシュボタン８のいずれが操作されたのかを判断する処理に移行する。すなわち、ＣＰＵ２１は、回転ダイヤル６が操作されたか否かをステップＳ８２にて判定し、回転ダイヤル６が操作されたと判定した時にはステップＳ８０へ処理を戻し、回転ダイヤル６が操作されていないと判定した時にはステップＳ８３の判定処理に進む。ステップＳ８３に進むと、ＣＰＵ２１は、プッシュボタン８が押下操作されたかを判定し、プッシュボタン８が押下操作されたと判定した時には、ステップＳ８８へ処理を進め、当該ステップＳ８８において上記候補表示部４４内でハイライト表示（４８）されている予測変換候補を確定し、その確定された候補を下部表示領域４１内に表示させて、文字の入力を確定する。一方、ステップＳ８３にて、操作されたのはプッシュボタン８でないと判定した場合、ＣＰＵ２１は、ステップＳ８４の判定処理に進む。ステップＳ８４に進むと、ＣＰＵ２１は、ユーザによる操作は十字キー７の上ボタンの押下操作であるのかを判定し、上ボタンの押下操作であると判定した時にはステップＳ８１の処理へ戻り、操作されたのは上ボタンでないと判定した時にはステップＳ８５の判定処理に進む。ステップＳ８５に進むと、ＣＰＵ２１は、ユーザによる操作は十字キー７の下ボタンの押下操作であるのかを判定し、下ボタンの押下操作であると判定した時には図２３のステップＳ１０の処理に戻り、操作されたのは下ボタンでないと判定した時にはステップＳ８６の判定処理に進む。ステップＳ８６に進むと、ＣＰＵ２１は、ユーザによる操作は十字キー７の右ボタンの押下操作であるのかを判定し、右ボタンの押下操作であると判定した時にはステップＳ８０の処理に戻り、操作されたのは右ボタンでないと判定した時にはステップＳ８７の判定処理へ進む。ステップＳ８７に進むと、ＣＰＵ２１は、ユーザによる操作は十字キー７の左ボタンの押下操作であるのかを判定し、左ボタンの押下操作であると判定した時にはステップＳ８０の処理に戻り、操作されたのは右ボタンでないと判定した時にはステップＳ８１の処理に戻る。
【０１２０】
図２７のステップＳ９０の処理に進んだ場合、ＣＰＵ２１は、カーソル４６上で文字を一文字分右に移動、つまりカーソル上に文字を一文字分追加表示させると共に、候補表示部４４内にはそのカーソル４６上の文字を参照文字として、候補表示部４４内に予測変換候補を表示させる。このステップＳ９０の処理後、ＣＰＵ２１は、ステップＳ９１へ処理を進める。
【０１２１】
ステップＳ９１の処理に進むと、ＣＰＵ２１は、ディスク型ジョグダイヤル３５からの操作信号の監視判定を行い、操作信号が供給されたと判断された場合には、回転ダイヤル６、十字キー７、プッシュボタン８のいずれが操作されたのかを判断する処理に移行する。すなわち、ＣＰＵ２１は、回転ダイヤル６が操作されたか否かをステップＳ９３にて判定し、回転ダイヤル６が操作されたと判定した時にはステップＳ１０１へ処理を進め、回転ダイヤル６が操作されていないと判定した時にはステップＳ９４の判定処理に進む。ステップＳ９４に進むと、ＣＰＵ２１は、プッシュボタン８が押下操作されたかを判定し、プッシュボタン８が押下操作されたと判定した時には、ステップＳ９９へ処理を進め、当該ステップＳ９９において上記候補表示部４４内でハイライト表示（４８）されている予測変換候補を確定し、その確定された候補を下部表示領域４１内に表示させて、文字の入力を確定する。一方、ステップＳ９４にて、操作されたのはプッシュボタン８でないと判定した場合、ＣＰＵ２１は、ステップＳ９５の判定処理に進む。ステップＳ９５に進むと、ＣＰＵ２１は、ユーザによる操作は十字キー７の上ボタンの押下操作であるのかを判定し、上ボタンの押下操作であると判定した時にはステップＳ９１の処理へ戻り、操作されたのは上ボタンでないと判定した時にはステップＳ９６の判定処理に進む。ステップＳ９６に進むと、ＣＰＵ２１は、ユーザによる操作は十字キー７の下ボタンの押下操作であるのかを判定し、下ボタンの押下操作であると判定した時にはステップＳ１１３へ処理を進め、操作されたのは下ボタンでないと判定した時にはステップＳ９７の判定処理に進む。ステップＳ９７に進むと、ＣＰＵ２１は、ユーザによる操作は十字キー７の右ボタンの押下操作であるのかを判定し、右ボタンの押下操作であると判定した時にはステップＳ９１の処理に戻り、操作されたのは右ボタンでないと判定した時にはステップＳ９８の判定処理へ進む。ステップＳ９８に進むと、ＣＰＵ２１は、ユーザによる操作は十字キー７の左ボタンの押下操作であるのかを判定し、左ボタンの押下操作であると判定した時には図２５のステップＳ６１へ処理を戻し、操作されたのは右ボタンでないと判定した時にはステップＳ９１の処理に戻る。
【０１２２】
ステップＳ１０１の処理に進んだ場合、ＣＰＵ２１は、行表示部４２上でのハイライト表示４５を、回転ダイヤル６の回転操作に応じて移動させると共に、候補表示部４４内にはその時点でのカーソル４６上の文字を参照文字として、候補表示部４４内に予測変換候補を表示させる。このステップＳ１０１の処理後、ＣＰＵ２１は、ステップＳ１０２へ処理を進める。
【０１２３】
ステップＳ１０２の処理に進むと、ＣＰＵ２１は、ディスク型ジョグダイヤル３５からの操作信号の監視判定を行い、操作信号が供給されたと判断された場合には、回転ダイヤル６、十字キー７、プッシュボタン８のいずれが操作されたのかを判断する処理に移行する。すなわち、ＣＰＵ２１は、回転ダイヤル６が操作されたか否かをステップＳ１０４にて判定し、回転ダイヤル６が操作されたと判定した時にはステップＳ１０１へ処理を戻し、回転ダイヤル６が操作されていないと判定した時にはステップＳ１０５の判定処理に進む。ステップＳ１０５に進むと、ＣＰＵ２１は、プッシュボタン８が押下操作されたかを判定し、プッシュボタン８が押下操作されたと判定した時には、ステップＳ１１０へ処理を進め、当該ステップＳ１１０において、候補表示部４４内のハイライト表示４８を移動可能にした後、図２５のステップＳ６２へ処理を戻す。一方、ステップＳ１０５にて、操作されたのはプッシュボタン８でないと判定した場合、ＣＰＵ２１は、ステップＳ１０６の判定処理に進む。ステップＳ１０６に進むと、ＣＰＵ２１は、ユーザによる操作は十字キー７の上ボタンの押下操作であるのかを判定し、上ボタンの押下操作であると判定した時にはステップＳ１０２の処理へ戻り、操作されたのは上ボタンでないと判定した時にはステップＳ１０７の判定処理に進む。ステップＳ１０７に進むと、ＣＰＵ２１は、ユーザによる操作は十字キー７の下ボタンの押下操作であるのかを判定し、下ボタンの押下操作であると判定した時にはステップＳ１１３へ処理を進め、操作されたのは下ボタンでないと判定した時にはステップＳ１０８の判定処理に進む。ステップＳ１０８に進むと、ＣＰＵ２１は、ユーザによる操作は十字キー７の右ボタンの押下操作であるのかを判定し、右ボタンの押下操作であると判定した時にはステップＳ９０の処理に戻り、操作されたのは右ボタンでないと判定した時にはステップＳ１０９の判定処理へ進む。ステップＳ１０９に進むと、ＣＰＵ２１は、ユーザによる操作は十字キー７の左ボタンの押下操作であるのかを判定し、左ボタンの押下操作であると判定した時には図２５のステップＳ６１へ処理を戻し、操作されたのは右ボタンでないと判定した時にはステップＳ１０２の処理に戻る。
【０１２４】
ステップＳ１１３の処理に進んだ場合、ＣＰＵ２１は、段表示部４３上へハイライト表示４５を移動させると共に、候補表示部４４内にはその時点でのカーソル４６上の文字を参照文字として、候補表示部４４内に予測変換候補を表示させる。このステップＳ１１３の処理後、ＣＰＵ２１は、図２８のステップＳ１２０へ処理を進める。
【０１２５】
図２８のステップＳ１２０へ進んだ場合、ＣＰＵ２１は、ディスク型ジョグダイヤル３５からの操作信号の監視判定を行い、操作信号が供給されたと判断された場合には、回転ダイヤル６、十字キー７、プッシュボタン８のいずれが操作されたのかを判断する処理に移行する。すなわち、ＣＰＵ２１は、回転ダイヤル６が操作されたか否かをステップＳ１２２にて判定し、回転ダイヤル６が操作されたと判定した時にはステップＳ１２０へ処理を戻し、回転ダイヤル６が操作されていないと判定した時にはステップＳ１２３の判定処理に進む。ステップＳ１２３に進むと、ＣＰＵ２１は、プッシュボタン８が押下操作されたかを判定し、プッシュボタン８が押下操作されたと判定した時には、ステップＳ１２８へ処理を進め、当該ステップＳ１２８において、候補表示部４４内のハイライト表示４８を移動可能にした後、図２５のステップＳ６２へ処理を戻す。一方、ステップＳ１２３にて、操作されたのはプッシュボタン８でないと判定した場合、ＣＰＵ２１は、ステップＳ１２４の判定処理に進む。ステップＳ１２４に進むと、ＣＰＵ２１は、ユーザによる操作は十字キー７の上ボタンの押下操作であるのかを判定し、上ボタンの押下操作であると判定した時にはステップＳ１２９の処理へ進み、行表示部４３上へハイライト表示４５を移動させると共に、候補表示部４４内にはその時点でのカーソル４６上の文字を参照文字として、候補表示部４４内に予測変換候補を表示させる。このステップＳ１２９の処理後、ＣＰＵ２１は、ステップＳ１２０へ処理を進を戻す。一方、ステップＳ１２４にて、操作されたのは上ボタンでないと判定した時、ＣＰＵ２１は、ステップＳ１２５の判定処理に進む。ステップＳ１２５に進むと、ＣＰＵ２１は、ユーザによる操作は十字キー７の下ボタンの押下操作であるのかを判定し、下ボタンの押下操作であると判定した時には図２７のステップＳ１１３へ処理を戻し、操作されたのは下ボタンでないと判定した時にはステップＳ１２６の判定処理に進む。ステップＳ１２６に進むと、ＣＰＵ２１は、ユーザによる操作は十字キー７の右ボタンの押下操作であるのかを判定し、右ボタンの押下操作であると判定した時には図２７のステップＳ９０の処理に戻り、操作されたのは右ボタンでないと判定した時にはステップＳ１２７の判定処理へ進む。ステップＳ１２７に進むと、ＣＰＵ２１は、ユーザによる操作は十字キー７の左ボタンの押下操作であるのかを判定し、左ボタンの押下操作であると判定した時には図２５のステップＳ６１へ処理を戻し、操作されたのは右ボタンでないと判定した時にはステップＳ１２０の処理に戻る。
【０１２６】
〔第１〜第５の実施形態のまとめ〕
以上説明したように、第１〜第５の実施形態の携帯電話端末によれば、携帯電話端末が閉状態となされてテンキー１４が使用できない場合であっても、ディスク型ジョグダイヤル３５を用いた文字入力が可能となっている。また、第１〜第５の実施形態の携帯電話端末によれば、ディスプレイ３の画面上に行表示部４２と段表示部４３を表示し、それら行表示部４２及び段表示部４３内の文字選択と予測変換候補選択とにより文字入力が可能であるため、前述した従来の直接選択方式のように五十音全ての仮名を一覧表示する必要がなく、大きな表示領域を必要とせず、表示画面上の表示領域を効率的に使用でき、短時間且つ迅速に文字入力を行える。また、第１〜第５の実施形態の携帯電話端末によれば、行表示部４２と段表示部４３内の文字選択と予測変換候補選択とが、ディスク型ジョグダイヤル３５の操作によりスムーズに行われるため、従来の行段選択方式のように一文字を入力するために「選択と決定」の操作を二回も繰り返す必要がなく、短時間で且つストレス無く文字入力が可能となる。さらに、第１〜第５の実施形態の携帯電話端末によれば、予測変換候補の選択により文字入力が可能であるため、従来の直接入力方式や行段選択方式のように、各文字を一文字一文字、目で確認しながら選択と決定の操作を行う必要がなく、したがって、入力時間と入力に要するストレスを軽減することができる。
【０１２７】
〔行選択連打方式による文字入力〕
ところで、携帯電話端末のユーザに広く普及している文字入力手法は、前述したテンキー連打方式である。一方で、前述した第１〜第５の実施形態の文字入力手法を携帯電話端末に採用した場合、当該テンキー連打方式に慣れたユーザは違和感を覚える可能性がある。そこで、本発明では、携帯電話端末が閉状態のときに文字入力を行えると同時に、特に、テンキー連打方式に慣れたユーザに違和感を与えない文字入力手法、言い換えるとテンキー連打方式と同じ感覚での文字入力手法を、実現可能としている。
【０１２８】
すなわち、本発明では、テンキー１４を使用せず、テンキー連打方式に慣れたユーザが違和感無く文字入力を行えるようにするための文字入力手法として以下に説明する「行選択連打方式」を採用する。
【０１２９】
〔第６の実施形態〕
以下、本発明の第６の実施形態として、上記「行選択連打方式」による文字入力の一連の流れを、ディスプレイ３上のユーザインターフェイス画像表示例と、ディスク型ジョグダイヤル３５の操作例とを用いて説明する。
【０１３０】
当該第６の実施形態の行選択連打方式は、図２９〜図３８に示すように、ディスプレイ３の画面上に、仮想的なテンキーを升目状に配置（以下、升目状配置キー５１と呼ぶ）を表示し、その升目状配置キー５１内の所望の仮想キーを仮想的に連打することにより、従来のテンキー連打方式と同様の入力感での文字入力を可能にする方式である。
【０１３１】
また、当該第６の実施形態の場合、上記升目状配置キー５１を仮想的に連打するための入力デバイスとして、ディスク型ジョグダイヤル３５を想定している。特に、本実施形態では、ディスク型ジョグダイヤル３５の回転ダイヤル６或いは十字キー７を「行」と「段」の選択のための選択キーとして用い、プッシュボタン８を升目状配置キー５１の連打用の決定キーとして用いる。
【０１３２】
以下、本発明の第６の実施形態の行選択連打方式による文字入力の一連の流れを、ディスプレイ３上のユーザインターフェイス画像表示例と、ディスク型ジョグダイヤル３５の操作例とを用いて説明する。なお、これ以降に説明しているユーザインターフェイス画像の表示制御、及び、ディスク型ジョグダイヤル３５の操作に応じた表示制御は、前述のＣＰＵ２１がメール処理部３０と表示部２６を制御することにより実現されるものである。
【０１３３】
この第６の実施形態において、文字入力が行われる際の初期画面には、図２９に示すようなユーザインターフェイス画像が表示される。当該第６の実施形態のユーザインターフェイス画像には、入力文字表示領域５０と升目状配置キー５１、カーソル５２が配されている。
【０１３４】
入力文字表示領域５０は、入力された文章が表示される領域である。また、当該入力文字表示領域５０には、文字の入力位置を明示するためのカーソル５２が表示される。図２９の初期画面のように、未だ何も文字が入力されていない場合、カーソル５０は、当該入力文字表示領域５０の例えば左上隅に表示される。
【０１３５】
升目状配置キー５１は、携帯電話端末の下部筐体２上に設けられているテンキー１４を仮想的に画面上に表示したものである。なお、図２９の升目状配置キー５１は、仮名文字入力を行う際の仮想テンキーであるため、通常のテンキー１４のような数字や英文字は表示されず、五十音の各行の先頭文字のみが表示されている。また、升目状配置キー５１を構成する各仮想キーは、「０」〜「９」の十個の数字キーだけでも良いが、本実施形態では、読点や句点、その他の記号等を入力するための「、」キーと、リターンキーである「ＲＴ」キーとを合わせた１２キーとしている。また、図２９の初期画面の場合、選択可能であることを明示するためのハイライト表示５３は、升目状配置キー５１のうち例えば「あ」の仮想キーとなされている。
【０１３６】
ここで、図２９の初期画面の状態のときに、ディスク型ジョグダイヤル３５の回転ダイヤル６又は十字キー７がユーザにより操作されると、升目状配置キー５１上のハイライト表示５３が、回転ダイヤル６又は十字キー７の操作に応じて移動する。すなわち、本実施形態の場合、回転ダイヤル６の回転操作や十字キー７の押下操作に応じた操作信号と、升目状配置キー５１上のハイライト表示５３の移動表示とが予め対応付けられており、したがってＣＰＵ２１は、回転ダイヤル６の回転操作や十字キー７の押下操作による操作信号に応じて、升目状配置キー５１上のハイライト表示５３の移動表示を制御する。例えば、回転ダイヤル６が右回転操作された場合、ハイライト表示５３は、当該回転ダイヤル６の右回転操作に応じて「あ」→「か」→「さ」→「た」→「な」→「は」→「ま」→  のように五十音の先頭行から順次行を移動し、一方、回転ダイヤル６が左回転操作された場合には上記右回転操作時とは逆の方向に順次行を移動する。また、十字キー７の右ボタンが押下操作された場合、ハイライト表示５３は、上記回転ダイヤル６の右回転操作時と同様に、当該右ボタンの押下操作に応じて升目状配置キー５１上で右方向に順次行を移動し、一方、十字キー７の左ボタンが押下操作されたときにはその逆方向に順次行を移動する。さらに、ハイライト表示５３は、十字キー７の下ボタンが押下操作された場合には下方向に、上ボタンが押下操作された場合には上方向に移動する。
【０１３７】
以下、具体的な文字入力例として「もり」の文字を入力する場合の表示例を挙げて説明すると、当該図２９の初期画面のときに、回転ダイヤル６が例えば右方向に六仮想キー相当分（六文字文字（六行）相当分）だけ回転操作された場合、或いは、十字キー７の右ボタンが例えば六回押下操作された場合、或いは、十字キー７の下ボタンが例えば二回押下操作された場合、升目状配置キー５１上のハイライト表示５３は「ま」の文字となされる。なお、回転ダイヤル６の六文字相当分の右方向回転操作や、十字キー７の右ボタンの六回押下操作、十字キー７の下ボタンの二回押下操作は一例であり、「ま」の文字の仮想キーをハイライト表示（５３）させる際にはそれらの操作に限定されないことは言うまでもない。また、これら図２９や図３０の表示状態は、升目状配置キー５１内の何れかの文字（行）が回転ダイヤル６又は十字キー７の操作により選択可能な行選択モードの状態を表しており、ハイライト表示（５３）されている仮想キーの文字（行）が現時点で選択可能であることを表している。
【０１３８】
図３０のように「ま」の文字が選択（「ま」の仮想キーがハイライト表示５３）されている状態のユーザインターフェイス画像のときに、ディスク型ジョグダイヤル３５のプッシュボタン８、つまり決定キーが一回押下操作されると、図３１に示すように、カーソル５２上には「ま」の文字が表示される。次に、この図３１のユーザインターフェイス画像のときに、プッシュボタン８がもう一度押下操作されると、図３２に示すように、カーソル５２上には「み」の文字が表示される。次に、この図３２のユーザインターフェイス画像のときに、プッシュボタン８がもう一度押下操作されると、図３３に示すように、カーソル５２上には「む」の文字が表示される。次に、この図３３のユーザインターフェイス画像のときに、プッシュボタン８がもう一度押下操作されると、図３４に示すように、カーソル５２上には「め」の文字が表示される。そして、図３４のユーザインターフェイス画像のときに、プッシュボタン８がもう一度押下操作されると、図３５に示すように、カーソル５２上には「も」の文字が表示される。その後、図３５のユーザインターフェイス画像のときに、ディスク型ジョグダイヤル３５の回転ダイヤル６又は十字キー７が操作されると、図３６に示すように、カーソル５２は上記「も」の文字から一文字分右に移動し、当該「も」の入力が確定する。なお、図３６のユーザインターフェイス画像は、図３５のユーザインターフェイス画像の状態から、回転ダイヤル６が例えば左方向に六文字（六行）相当分だけ回転操作、或いは、十字キー７の左ボタンが例えば六回押下操作、或いは、十字キー７の上ボタンが例えば二回押下操作されて、升目状配置キー５１上のハイライト表示５３が「あ」の文字の仮想キーとなされたときの状態を表している。
【０１３９】
図２９〜図３６の升目状配置キー５１は、仮名文字入力用の五十音順の各行に対応した例であるが、例えば英文字入力を行う場合の升目状配置キー５１は、図３７のように表示される。当該英文字入力時の升目状配置キー５１が表示されている場合において、例えば「Ｃ」の文字を入力したいときには、先ず「ＡＢＣ」の文字が表示されている仮想キーを回転ダイヤル６或いは十字キー７により選択した上で、プッシュボタン８を三回押下操作すれば良い。
【０１４０】
また、数字入力を行う場合の升目状配置キー５１は、例えば図３８のように表示される。当該数字入力時の升目状配置キー５１が表示されている場合において、例えば「８」の数字を入力したいときには、先ず「８」のキーを回転ダイヤル６或いは十字キー７により選択した上で、プッシュボタン８を一回押下操作すれば良い。
【０１４１】
〔第７の実施形態〕
図２９〜図３８に示した第６の実施形態のユーザインターフェイス画像例は、升目状配置キー５１が、下部筐体２上の実際のテンキー１４のキー配置に準じたものとなされているが、本発明の「行選択連打方式」は上記升目状配置キー５１の仮想的連打に限定されず、例えば図３９に示す第７の実施形態のように、各キーが横方向に配列されたもの（以下、横列配置キー５４と呼ぶ）であっても良い。すなわち、図３９に示す横列配置キー５４は、五十音の各行を表す「あ」「か」「さ」  の各文字と記号用の行を表す「、」と、リターンキーを表す「ＲＴ」キーとを合わせた仮想１２キーが、横方向に配列されたものである。
【０１４２】
この第７の実施形態の場合、図３９の表示状態のときに、ディスク型ジョグダイヤル３５の回転ダイヤル６又は十字キー７がユーザにより操作されると、横列配置キー５４上のハイライト表示５３が、回転ダイヤル６又は十字キー７の左，右ボタンの操作に応じて移動する。すなわち、本実施形態の場合、回転ダイヤル６の回転操作や左，右ボタンの押下操作に応じた操作信号と、横列配置キー５４上のハイライト表示５３の移動表示とが予め対応付けられており、したがってＣＰＵ２１は、回転ダイヤル６の回転操作や左，右ボタンの押下操作による操作信号に応じて、当該横列配置キー５４上のハイライト表示５３の移動表示を制御する。例えば、回転ダイヤル６が右回転操作された場合、ハイライト表示５３は、当該回転ダイヤル６の右回転操作に応じて右方向に順次行を移動し、一方、回転ダイヤル６が左回転操作された場合には上記右回転操作時とは逆の方向に順次行を移動する。また、十字キー７の右ボタンが押下操作された場合、ハイライト表示５３は、上記回転ダイヤル６の右回転操作時と同様に、当該右ボタンの押下操作に応じて横列配置キー５４上で右方向に順次行を移動し、一方、十字キー７の左ボタンが押下操作されたときにはその逆方向に順次行を移動する。
【０１４３】
当該第７の実施形態における段選択時のプッシュボタン８の連打や入力文字の確定の操作は上述の第６の実施形態と同様である。
【０１４４】
〔第８の実施形態〕
第７の実施形態の場合、横列配置キー５４を構成する１２個の各キーが横一列に並べられるため、例えば携帯電話端末のディスプレイ３のように画面の大きさが充分に得られないものに表示する場合には、各仮想キー上の表示文字が小さくなる虞がある。各仮想キー上の表示文字を、より大きくするための表示例として、第７の実施形態のように１２個の全てのキーを配列させる代わりに、第８の実施形態のように１２個のキーの一部のみを表示した横列配置キー５５を表示するようにし、画面上に表示できない文字についてはスクロールにより表示可能にすることも可能である。
【０１４５】
この第８の実施形態の場合、図４０の表示状態のときに、ディスク型ジョグダイヤル３５の回転ダイヤル６又は十字キー７がユーザにより操作されると、横列配置キー５５上のハイライト表示５３が、回転ダイヤル６又は十字キー７の左，右ボタンの操作に応じて移動する。すなわち、本実施形態の場合、回転ダイヤル６の回転操作や左，右ボタンの押下操作に応じた操作信号と、横列配置キー５４上のハイライト表示５３の移動表示とが予め対応付けられており、したがってＣＰＵ２１は、回転ダイヤル６の回転操作や左，右ボタンの押下操作による操作信号に応じて、当該横列配置キー５４上のハイライト表示５３の移動表示を制御する。例えば、回転ダイヤル６が右回転操作された場合、ハイライト表示５３は、当該回転ダイヤル６の右回転操作に応じて右方向に順次行を移動し、一方、回転ダイヤル６が左回転操作された場合には上記右回転操作時とは逆の方向に順次行を移動する。また、十字キー７の右ボタンが押下操作された場合、ハイライト表示５３は、上記回転ダイヤル６の右回転操作時と同様に、当該右ボタンの押下操作に応じて横列配置キー５４上で右方向に順次行を移動し、一方、十字キー７の左ボタンが押下操作されたときにはその逆方向に順次行を移動する。また、ハイライト表示５３が横列配置キー５５の左端の行位置となっているときに、回転ダイヤル６の左回転操作や十字キー７の左ボタン押下操作がなされると、横列配置キー５５上の各行は右方向に移動（つまり右方向にスクロール）し、一方、ハイライト表示５３が横列配置キー５５の右端の行位置となっているときに、回転ダイヤル６の右回転操作や十字キー７の右ボタン押下操作がなされると、横列配置キー５５上の各行は左方向に移動（つまり左方向にスクロール）する。
【０１４６】
当該第８の実施形態における段選択時のプッシュボタン８の連打や入力文字の確定の操作は上述の第６の実施形態と同様である。
【０１４７】
なお、図２９〜図３６までのユーザインターフェイス画像や図３７，図３８，図３９，図４０の各ユーザインターフェイス画像は、例えば前記切替ボタン１３の押下操作に応じて切り替えられても良い。
【０１４８】
〔第９の実施形態〕
第７，第８の実施形態の場合、横列配置キー５４，５５のみが表示されているが、第９の実施形態として、例えば図４１や図４２に示すように、横列配置キー５４，５５内でハイライト表示（５３）されて選択されている行に含まれる段の各文字を順番に配列した一覧（以下、一覧部５６と呼ぶ）を表示することも可能である。すなわち、第９の実施形態によれば、横列配置キー５４，５５内でハイライト表示（５３）されている仮想キー（つまり行）に含まれる段の各文字を、一覧部５６内に表示することで、ユーザは、ハイライト表示（５３）されて選択されている行にどのような文字が含まれているのかを知ることができるだけでなく、その選択行についてプッシュボタン８を何回連打すれば所望の段の文字を選択できるのかを知ることができるようになる。
【０１４９】
〔第１０の実施形態〕
上述の第７〜第９の実施形態は、仮名文字入力の例を説明したが、第１０の実施形態として、英文字入力を行う場合には例えば図４３に示すようなアルファベット配列キー５８を表示する。なお、図４３は、図３７で説明した英文字入力用の升目配列キー５１を図４２のように横一列に配列させた横列配置キー５８を適用した例である。
【０１５０】
当該第１０の実施形態のユーザインターフェイス画像の場合、横列配置キー５８の各仮想キーには、図４３のように三個或いは四個のアルファベット文字が割り当て表示される。当該横列配置キー５８において、例えば「Ｚ」の文字を入力する場合には、回転ダイヤル６又は十字キー７によりハイライト表示５３を移動させて「ＷＸＹＺ」が表示されている仮想キーを選択し、その状態でプッシュボタン８を四回押下操作すれば良い。
【０１５１】
なお、当該英文字入力の場合にもアルファベットの横列配置キー５８の近傍には、一覧部５６を表示する。本実施形態のような英文字入力の場合、英文字には仮名文字の行に相当する概念が無いため、アルファベットの横列配置キー５８の近傍に一覧部５６を表示することは有効であり、図４３のように、記号入力用のキーに応じた一覧部５６を表示することは特にユーザ親和性の点で効果的である。
【０１５２】
なお、第７〜第１０の実施形態では、仮想テンキーを画面上で横方向に配列した例を挙げているが、例えば画面上で縦方向に配列（縦列配置キー）しても良い。
【０１５３】
〔第１１の実施形態〕
第１１の実施形態として、上記行選択連打方式による文字入力のためのユーザインターフェイス画像は、例えば図４４に示すように、ディスク型ジョグダイヤル３５の外観及び回転ダイヤル６の形状に合わせた円状に各キーを配列（以下、円状配列キー５７と呼ぶ）したものであっても良い。
【０１５４】
すなわちこの第１１の実施形態の円状配列キー５７によれば、ディスク型ジョグダイヤル３５の外観及び回転ダイヤル６の形状に合わせて各キーが円状に配列されているため、ユーザは、ディスク型ジョグダイヤル３５を操作と各キーとの関係を直感的に理解できるようにし、ディスク型ジョグダイヤル３５操作時の違和感を少なくすることができる。
【０１５５】
〔行選択連打方式と予測変換候補選択の連携〕
上述の第６〜第１１の実施形態では、前述の第１〜第５の実施形態で説明した予測変換候補の選択について説明を省略しているが、本発明にかかる行選択連打方式は、予測変換候補の選択と組み合わせることも可能である。なお、以下の説明では、入力された仮名から予測変換候補の選択を行う例を述べているが、仮名から通常の漢字変換を行う場合のも本発明は適用可能である。
【０１５６】
ここで、ディスク型ジョグダイヤル３５を用いた行選択連打方式による文字入力の場合、複数の選択キー（回転ダイヤル６と十字キー７）に対して、決定キーは一つ（プッシュボタン８）というキー割り当て構成になっている。したがって、行選択連打方式と予測変換候補選択とにより文字入力を行う場合、それらのキーを用いて行の選択等と予測変換候補の選択等を行わなければならないことになる。
【０１５７】
このことを考慮すると、文字入力時の動作状態は、行の選択により仮名を入力する状態（以後、仮名選択モードと呼ぶ）と、予測変換候補を選択してその候補を決定する状態（以後、候補選択モードと呼ぶ）の二つのモードが必要になり、また、それら二つのモードの切り替え制御が必要になる。なお、キーの特殊な割り当てを行ったり、複数の決定キーを使用可能にする場合など、必ずしも状態を分ける必要がない場合もあるが、そのような場合、ユーザにとって直感的且つ簡易な文字入力方法にすることは困難であると考え、ここではそれら特殊な割り当てや複数の決定キーの使用については考えないことにする。
【０１５８】
また、行選択連打方式と予測変換候補の選択及び決定とを連携させる際の連携方式は、上記二つのモードの切り替え方式に応じて、仮名選択モードと候補選択モードの切り替えをできるだけ意識させない方式（以後、シームレス切替方式と呼ぶ）と、仮名選択モードと候補選択モードを意識して切り替えさせる方式（以後、意識的切替方式と呼ぶ）の二つに大別できる。
【０１５９】
図４５には、上記仮名選択モードと候補選択モードの切り替え制御のフローチャートを示す。
【０１６０】
図４５において、ＣＰＵ２１は、ステップＳ１５０にて仮名選択モードにて仮名入力がなされると、ディスク型ジョグダイヤル３５からの操作信号により、その入力された仮名文字を通常の文字として扱うか、或いは候補選択モードへ遷移するか、或いは入力処理を終了するかを判定し、通常の文字として扱うときにはステップＳ１５０へ戻り、候補選択モードへ遷移するときにはステップＳ１５２の処理に進む。
【０１６１】
ステップＳ１５２に進むと、ＣＰＵ２１は、入力された仮名文字に未確定文字があるか否か判定し、未確定文字がないときにはステップＳ１５０へ処理を戻し、未確定文字があるときにはステップＳ１５３へ処理を進める。
【０１６２】
ステップＳ１５３の処理に進むと、ＣＰＵ２１は、その未確定文字に応じた予測変換候補を表示させ、次にステップＳ１５４にてディスク型ジョグダイヤル３５からの操作信号により何れかの予測変換候補が選択されたか、或いは、変換キャンセルの指示がなされたかを判定し、何れかの予測変換候補が選択されたときにはその候補を決定した後、ステップＳ１５０の処理へ戻り、一方、変換キャンセルの指示がなされたときにはそのままステップＳ１５０の処理に戻る。
【０１６３】
以下、仮名選択モードから候補選択モードへの切り替えのための説明として、先ず、キーの割り当てが必要となる操作について述べ、次に、上記シームレス切替方式と意識的切替方式の説明を行う。
【０１６４】
ここで、仮名選択モードから候補選択モードへの切り替えのために、キーの割り当てが必要となる操作は次の通りである。
【０１６５】
先ず、基本操作としては、仮名選択操作、仮名決定操作、候補選択操作、候補決定操作、位置選択操作の五つの操作が考えられる。仮名選択操作は、所望の仮名が含まれる行つまり仮想テンキーを選択する操作である。仮名決定操作は、選択した仮想テンキーを連打することにより、その行の仮名を入力する操作である。候補選択操作は、予測変換候補を選択する操作である。候補決定操作は、選択した予測変換候補を決定する操作である。位置選択操作は、カーソル位置を選択決定する操作である。
【０１６６】
キーを限定したことで必要となる操作としては、モード切替操作と確定操作が考えられる。モード切替操作は、仮名選択モードと候補選択モードを切り替える操作である。確定操作は、未確定文字列を無変換のまま確定させる操作である。
【０１６７】
一方、キーを限定しない場合にも操作可能であり、この場合の操作としては、消去操作、機能表示操作、文字種切り替え操作、変換切り替え操作が考えられる。消去操作は、カーソル位置にある文字を消去する操作である。機能表示操作は、文字入力に関するオプション機能のメニューを表示する操作である。文字種切替操作は、入力文字種（漢字、仮名、英数字等）を切り替える操作である。変換切替操作は、予測変換を使用している際に、一時的に通常変換に切り替える操作である。
【０１６８】
〔第１２の実施形態〕
以下、行選択連打方式と予測変換候補選択を連携させて文字入力を行う第１２の実施形態として、上記シームレス切替方式を使用した例を説明する。
【０１６９】
シームレス切替方式は、仮名選択モードと候補選択モードの切り替えをできるだけ意識させない方式である。具体的には、仮名選択モードと候補選択モードの切り替えのための切替キーと、仮名選択モードから候補選択モードへの切り替え後の予測変換候補の選択に使用するキーとを合わせておくことで、モード切り替えから予測変換候補選択の流れをスムーズに行えるようにしたものである。当該シームレス切替方式の場合、仮名選択モードと候補選択モード時の選択キーの割り当て方法は、図４６に示すような三パターンの方法が考えられる。
【０１７０】
図４６において、パターンＡのキー割り当ては、前述の升目状配置キーが採用された場合のキー割り当てパターンであり、仮名選択モードではディスク型ジョグダイヤル３５の十字キーの上，下，右，左ボタンが仮名選択のために用いられ、候補選択モードでは回転ダイヤル６が予測変換候補の選択のために用いられる。パターンＢのキー割り当ては、前述の縦列配置キーが採用された場合のキー割り当てパターンであり、仮名選択モードでは十字キー７の上，下ボタンが仮名選択のために用いられ、候補選択モードでは回転ダイヤル６が予測変換候補の選択のために用いられる。パターンＣのキー割り当ては、前述の横列配置キーが採用された場合のキー割り当てパターンであり、仮名選択モードでは回転ダイヤル６が仮名選択のために用いられ、候補選択モードでは十字キー７の上，下ボタンが予測変換候補の選択のために用いられる。
【０１７１】
また、図４６の各パターンＡ，Ｂ，Ｃにおいて、各キーへ割り当てられる詳細な機能は、図４７〜図４９に示すようになされる。図４７はパターンＡの場合のキー割り当て時の機能を示し、図４８はパターンＢの場合のキー割り当て時の機能を、図４９はパターンＣの場合のキー割り当て時の機能を示している。
【０１７２】
図４７に示すパターンＡのキー割り当ての場合において、仮名選択モードで未確定文字が無い場合、ディスク型ジョグダイヤル３５のプッシュボタン８には仮名決定操作機能が割り当てられ、十字キー７の上，下，右，左ボタンにはそれぞれ仮名選択操作機能が割り当てられる。また、ディスク型ジョグダイヤル３５以外で使用されるキーのうち、クリアキー１１には消去操作機能が割り当てられ、メール機能キーとして設けられているキー９にはメニューを表示する機能表示操作機能が、切替キーとして設けられているキー１３には文字種切替操作機能が割り当てられる。一方、仮名選択モードで未確定文字が有る場合、プッシュボタン８には仮名決定操作機能が、十字キー７の上，下，右，左ボタンにはそれぞれ仮名選択操作機能が、回転ダイヤル６にはモード切替操作機能が割り当てられ、クリアキー１１には消去操作機能が、切替キー１３には確定操作機能が各々割り当てられる。また、候補選択モードで未確定文字が有る場合、プッシュボタン８には候補決定操作機能が、十字キー７の上，下，右，左ボタンにはそれぞれモード切替操作機能が、回転ダイヤル６には候補選択操作機能が、クリアキー１１には消去操作機能が、キー９には変換切替操作機能がそれぞれ割り当てられる。
【０１７３】
図４８に示すパターンＢのキー割り当ての場合において、仮名選択モードで未確定文字が無い場合、プッシュボタン８には仮名決定操作機能が割り当てられ、十字キー７の上，下ボタンにはそれぞれ仮名選択操作機能が、右，左ボタンにはそれぞれ位置選択操作機能が割り当てられ、クリアキー１１には消去操作機能が、キー９には機能表示操作機能が、切替キー１３には文字種切替機能が各々割り当てられる。一方、仮名選択モードで未確定文字が有る場合、プッシュボタン８には仮名決定操作機能が、十字キー７の上，下ボタンにはそれぞれ仮名選択操作機能が、右，左ボタンにはそれぞれ位置選択操作機能が、回転ダイヤル６にはモード切替操作機能が割り当てられ、クリアキー１１には消去操作機能が、切替キー１３には確定操作機能が各々割り当てられる。また、候補選択モードで未確定文字が有る場合、プッシュボタン８には候補決定操作機能が、十字キー７の上，下ボタンにはそれぞれモード切替操作機能が、右，左ボタンには位置選択操作機能が、回転ダイヤル６には候補選択操作機能が割り当てられ、クリアキー１１には消去操作機能が、キー９には変換切替操作機能がそれぞれ割り当てられる。
【０１７４】
図４９に示すパターンＣのキー割り当ての場合において、仮名選択モードで未確定文字が無い場合、プッシュボタン８には仮名決定操作機能が割り当てられ、十字キー７の右，左ボタンにはそれぞれ位置選択操作機能が、回転ダイヤル６には仮名選択操作機能が割り当てられ、クリアキー１１には消去操作機能が、キー９には機能表示操作機能が、切替キー１３には文字種切替機能が各々割り当てられる。一方、仮名選択モードで未確定文字が有る場合、プッシュボタン８には仮名決定操作機能が、十字キー７の下ボタンにはモード切替操作機能が、右，左ボタンにはそれぞれ位置選択操作機能が、回転ダイヤル６には仮名選択操作機能が割り当てられ、クリアキー１１には消去操作機能が、切替キー１３には確定操作機能が各々割り当てられる。また、候補選択モードで未確定文字が有る場合、プッシュボタン８には候補決定操作機能が、十字キー７の上ボタンにはモード切替操作機能又は候補選択操作機能が、右，左ボタンには位置選択操作機能が、回転ダイヤル６にはモード切替操作機能が、クリアキー１１には消去操作機能が、キー９には変換切替操作機能がそれぞれ割り当てられる。
【０１７５】
このシームレス切替方式を利用した文字入力の場合、仮名選択モードから候補選択モードへの切り替えから予測変換候補の選択までの流れをスムーズに行えるため、高速な文字入力が可能となる。
【０１７６】
以下、例えば上述したパターンＣにおけるキー割り当てのシームレス切替方式を採用し、行選択連打方式と予測変換候補選択を連携させる第１２の実施形態における一連の文字入力操作の流れを、図５０〜図５７のユーザインターフェイス画像を用いて説明する。なお、第１２の実施形態では、仮想テンキーを横列配置キー５５により表示し、また当該横列配置キー５５の近傍に一覧部５６を配した例を挙げている。なお、これ以降に説明しているユーザインターフェイス画像の表示制御、及び、ディスク型ジョグダイヤル３５の操作に応じた表示制御は、前述のＣＰＵ２１がメール処理部３０と表示部２６を制御することにより実現されるものである。
【０１７７】
この第１２の実施形態の場合、文字入力が行われる際の初期画面には、図５０に示すようなユーザインターフェイス画像が表示される。当該第１２の実施形態のユーザインターフェイス画像には、前述の図４２と同様の入力文字表示領域５０と横列配置キー５５、一覧部５６、カーソル５２が配される他、横列配置キー５５は例えば画面中央部付近に配置され、その横列配置キー５５の下には候補表示部５９が設けられる。上記候補表示部５９は、前述の第１〜第５の実施形態で説明したのと同様に、文字入力の遷移状態に応じた予測変換の候補が表示される部分である。
【０１７８】
ここで、図５０の初期画面の状態の後、例えば、ディスク型ジョグダイヤル３５の回転ダイヤル６がユーザにより操作されることで、図５１に示すように、横列配置キー５５のうちの「か」の文字の仮想キーが選択されてハイライト表示（５３）され、さらにその状態でプッシュボタン８が五回押下操作されると、カーソル５２上には「こ」の文字が表示され、候補表示部５９には「こ」の文字から始まる各予測変換候補が表示される。またこのとき、候補表示部５９内では、「こ」の文字の仮想キーがハイライト表示（６０）されている。但し、現在のモードは仮名選択モードであるため、予測変換候補の選択はできない。
【０１７９】
次に、図５１のユーザインターフェイス画像が表示されているときに、回転ダイヤル６が、九仮想キー相当分（九文字相当分）だけ右回転操作されると、図５２に示すように、ハイライト表示５３は「わ」の文字の仮想キーとなされ、当該「わ」の行が選択される。さらに、その状態でプッシュボタン８が三回押下操作されると、図５３に示すように、カーソル５２上には先の「こ」の文字の横に「ん」の文字が表示され、候補表示部５９には「こん」の文字から始まる各予測変換候補が表示される。またこのとき、候補表示部５９内では、「こ」の文字がハイライト表示（６０）されている。但し、現在のモードは仮名選択モードであるため、予測変換候補の選択はできない。
【０１８０】
次に、図５３のユーザインターフェイス画像が表示されているときに、十字キー７の下ボタンが押下操作されると、仮名選択モードから候補選択モードへ遷移し、候補表示部５９内の予測変換候補が選択可能になる。当該候補選択モードへ遷移した後、十字キー７の下ボタンが例えば三回押下操作されると、図５４に示すように、候補表示部５９内のハイライト表示６０は「今週」の候補上に移動する。
【０１８１】
次に、当該図５４のユーザインターフェイス画像が表示されているときに、プッシュボタン８が押下操作されると、図５５に示すように、カーソル５２上には「今週」の文字が表示される。またこの時、候補表示部５９内には、予測変換候補を確定することを表す「閉じる」の指示アイコン６１と、「今週」に続く各予測変換候補とが表示されることになる。図示は省略するが、その後、上記「閉じる」の指示アイコン６１がハイライト表示（６０）されているときに、さらにプッシュボタン８が押下操作されると、「今週」の文字の入力が確定し、入力文字表示領域５０内で「今週」文字の例えば右側にカーソル５２が移動し、以上により、「今週」の文字の入力が行われたことになる。
【０１８２】
なお、当該第１２の実施形態において、図５６や図５７に示すように、どのようなキーを操作することで仮名選択モードと候補選択モードを切り替えられるのかをユーザに伝えるためのガイド表示６４〜６７を表示しても良い。すなわち、図５６のガイド表示６４は、プッシュボタン８を押下操作すれば仮名選択モードから候補選択モードへ切り替えられることをユーザに伝えるための表示であり、また、ガイド表示６５は、十字キー７の上，下ボタンを押下操作することで候補表示部５９内で次の予測変換候補を選択可能であることをユーザに伝えるための表示である。図５７のガイド表示６６は、プッシュボタン８を押下操作すれば候補選択モードから仮名選択モードへ切り替えられることをユーザに伝えるための表示であり、また、ガイド表示６７は、十字キー７の上，下ボタンを押下操作することで候補表示部５９内で次の予測変換候補を選択可能であることをユーザに伝えるための表示である。
【０１８３】
〔第１３の実施形態〕
次に、行選択連打方式と予測変換候補選択を連携させて文字入力を行う第１３実施形態として、上記意識的切替方式を使用した例を説明する。
【０１８４】
意識的切替方式は、仮名選択モードと候補選択モードを、ユーザに意識させて切り替えさせる方式である。具体的には、仮名選択モードから候補選択モードへの切り替えのための切替キー、つまり「このキーを押せばモードが切り替わる」という「切替キー」を用意したものである。当該意識的切替方式の場合、仮名選択モードと候補選択モード時の選択キーの割り当て方法は、図５８に示すような二パターンの方法が考えられる。
【０１８５】
図５８において、パターンＤのキー割り当ては、前述の横列配置キーが採用された場合のキー割り当てパターンであり、仮名選択モードにおける仮名選択と候補選択モードにおける予測変換候補の選択の何れの場合も、ディスク型ジョグダイヤル３５の回転ダイヤル６が用いられる。また、パターンＥのキー割り当ても横列配置キーが採用された場合のキー割り当てパターンであり、仮名選択モードではディスク型ジョグダイヤル３５の回転ダイヤル６が仮名選択のために用いられ、候補選択モードでは回転ダイヤル６又は十字キー７の上，下ボタンが予測変換候補の選択のために用いられる。
【０１８６】
また、図５８の各パターンＤ，Ｅにおいて、各キーへ割り当てられる詳細な機能は、図５９，図６０に示すようになされる。図５９はパターンＤの場合のキー割り当て時の機能を示し、図６０はパターンＥの場合のキー割り当て時の機能を示している。
【０１８７】
図５９に示すパターンＤのキー割り当ての場合において、仮名選択モードで未確定文字が無い場合、ディスク型ジョグダイヤル３５のプッシュボタン８には仮名決定操作機能が割り当てられ、十字キー７の右，左ボタンにはそれぞれ位置選択機能が、回転ダイヤル６には仮名選択操作機能が割り当てられ、クリアキー１１には消去操作機能が、キー９には機能表示操作機能が、キー１３には文字種切替操作機能が割り当てられる。仮名選択モードで未確定文字が有る場合、プッシュボタン８には仮名決定操作機能が、十字キー７の下ボタンにはモード切替操作機能が、右，左ボタンにはそれぞれ位置選択機能が、回転ダイヤル６には仮名選択機能が割り当てられ、クリアキー１１には消去操作機能が、切替キー１３には確定操作機能が各々割り当てられる。候補選択モードで未確定文字が有る場合、プッシュボタン８には候補決定操作機能が、十字キー７の上ボタンにはモード切替操作機能又は候補選択操作機能が、下ボタンには候補選択操作機能が、右，左ボタンには位置選択操作機能が、回転ダイヤル６には候補選択操作機能が、クリアキー１１には消去操作機能が、キー９には変換切替操作機能が、キー１３には操作を中止するための中止機能がそれぞれ割り当てられる。
【０１８８】
図６０に示すパターンＥのキー割り当ての場合において、仮名選択モードで未確定文字が無い場合、プッシュボタン８には仮名決定操作機能が割り当てられ、十字キー７の右，左ボタンにはそれぞれ位置選択機能が、回転ダイヤル６には仮名選択操作機能が割り当てられ、クリアキー１１には消去操作機能が、キー９には機能表示操作機能が、キー１３には文字種切替操作機能が割り当てられる。仮名選択モードで未確定文字が有る場合、プッシュボタン８には仮名決定操作機能が、十字キー７の下ボタンにはモード切替操作機能が、右，左ボタンにはそれぞれ位置選択機能が、回転ダイヤル６には仮名選択機能が割り当てられ、クリアキー１１には消去操作機能が、切替キー１３には確定操作機能が各々割り当てられる。候補選択モードで未確定文字が有る場合、プッシュボタン８にはモード切替操作機能が、十字キー７の右，左ボタンには位置選択操作機能が、回転ダイヤル６には候補選択操作機能が、クリアキー１１には消去操作機能が、キー９には変換切替操作機能がそれぞれ割り当てられる。
【０１８９】
この意識的切替方式を利用した文字入力の場合、仮名選択モードと候補選択モードを明示的に切り替えているため、それぞれのモードで自由にキーを割り当てることができる。具体的には、回転ダイヤル６の左回転，右回転を、仮名選択や予測変換候補選択に使用することができる。
【０１９０】
以下、例えば上述したパターンＤにおけるキー割り当ての意識的切替方式を採用し、行選択連打方式と予測変換候補選択を連携させる第１３の実施形態における一連の文字入力操作の流れを、図６１〜図６５のユーザインターフェイス画像を用いて説明する。この第１３の実施形態の例では、仮想テンキーが横列配置キー５５により表示され、また横列配置キー５５の近傍に一覧部５６を配している。なお、これ以降に説明しているユーザインターフェイス画像の表示制御、及び、ディスク型ジョグダイヤル３５の操作に応じた表示制御は、前述のＣＰＵ２１がメール処理部３０と表示部２６を制御することにより実現されるものである。
【０１９１】
この第１３の実施形態の場合、文字入力が行われる際の初期画面には、図６１に示すようなユーザインターフェイス画像が表示される。当該第１３の実施形態のユーザインターフェイス画像は、前述の図５０と略々同様であるが、候補表示部５９は、入力文字表示領域５０と横例配置キー５５の間に設けられている
ここで、図６１の初期画面の状態の後、例えば、ディスク型ジョグダイヤル３５の回転ダイヤル６がユーザにより操作されることで、図６２に示すように、横列配置キー５５のうちの「か」の文字の仮想キーが選択されてハイライト表示（５３）され、さらにその状態でプッシュボタン８が五回押下操作されると、カーソル５２上には「こ」の文字が表示され、候補表示部５９には「こ」の文字から始まる各予測変換候補が表示される。またこのとき、候補表示部５９内では、「こ」の文字がハイライト表示（６０）されている。但し、現在のモードは仮名選択モードであるため、予測変換候補の選択はできない。
【０１９２】
次に、図６２のユーザインターフェイス画像が表示されているときに、回転ダイヤル６が、九仮想キー相当分（九文字相当分）だけ右回転操作されると、図６３に示すように、ハイライト表示５３は「わ」の文字の仮想キーとなされ、当該「わ」の行が選択される。さらに、その状態でプッシュボタン８が三回押下操作されると、図６４に示すように、カーソル５２上には先の「こ」の文字の横に「ん」の文字が表示され、候補表示部５９には「こん」の文字から始まる各予測変換候補が表示される。またこのとき、候補表示部５９内では、「こ」の文字がハイライト表示（６０）されている。但し、現在のモードは仮名選択モードであるため、予測変換候補の選択はできない。
【０１９３】
次に、図６４のユーザインターフェイス画像が表示されているときに、十字キー７の上ボタンが押下操作されると、仮名選択モードから候補選択モードへ遷移し、候補表示部５９内の予測変換候補が選択可能になる。当該候補選択モードへ遷移した後、回転ダイヤル６が例えば三候補相当分だけ右回転操作されると、図６５に示すように、候補表示部５９内のハイライト表示６０は「今週」の候補上に移動する。
【０１９４】
次に、当該図６５のユーザインターフェイス画像が表示されているときに、プッシュボタン８が押下操作されると、図６６に示すように、カーソル５２上には「今週」の文字が表示される。またこの時、候補表示部５９内には、予測変換候補を確定することを表す「閉じる」の指示アイコン６１と、「今週」に続く各予測変換候補とが表示されることになる。図示は省略するが、その後、上記「閉じる」の指示アイコン６１がハイライト表示（６０）されているときに、さらにプッシュボタン８が押下操作されると、「今週」の文字の入力が確定し、入力文字表示領域５０内で「今週」の文字の例えば右側にカーソル５２が移動し、以上により、「今週」の文字の入力が行われたことになる。
【０１９５】
なお、当該第１３の実施形態においても、第１２の実施形態の図５６や図５７で説明したのと同様のガイド表示を行っても良い。
【０１９６】
〔第６〜第１３の実施形態のまとめ〕
以上説明したように、第６〜第１３の実施形態の携帯電話端末によれば、携帯電話端末が閉状態となされてテンキー１４が使用できない場合であっても、ディスク型ジョグダイヤル３５を用いた文字入力が可能となっている。また、第６〜第１３の実施形態の携帯電話端末によれば、ディスプレイ３の画面上に仮想テンキーを表示し、その仮想テンキーの連打による文字選択と予測変換候補選択とにより文字入力が可能であるため、前述した従来の直接選択方式のように五十音全ての仮名を一覧表示する必要がなく、その結果大きな表示領域を必要とせず、表示画面上の表示領域を効率的に使用でき、短時間且つ迅速に文字入力を行える。また、第６〜第１３の実施形態の携帯電話端末によれば、仮想テンキー内の文字選択と予測変換候補選択とが、ディスク型ジョグダイヤル３５の操作によりスムーズに行われるため、従来の行段選択方式のように一文字入力する毎に「選択と決定」という二回の操作を繰り返す必要がなく、短時間で且つストレス無く文字入力が可能となる。さらに、第６〜第１３の実施形態の携帯電話端末によれば、予測変換候補の選択により文字入力が可能であるため、従来の直接入力方式や行段選択方式のように、所望の文字を目で確認しながら選択と決定の操作を行う必要がなく、したがって、入力時間と入力に要するストレスを軽減することができる。さらに、第６〜第１３の実施形態の携帯電話端末によれば、仮想テンキーの連打により仮名文字選択が行われるため、現状の携帯電話端末に採用されているテンキー連打方式に慣れたユーザにとって違和感無く使用できる。
【０１９７】
〔第１４の実施形態〕
第６〜第１３の実施形態では行選択連打方式と予測変換候補選択を連携させて文字入力を行う実施形態について説明したが、例えば上述した意識的切替方式は行選択連打方式以外の仮名入力方式についても適用可能である。
【０１９８】
以下、行選択連打方式以外の仮名入力方式として前述の行段選択方式を例に挙げ、この行段選択方式と予測変換候補選択を連携させ、上記意識的切替方式により文字入力を行う第１４実施形態について説明する。
【０１９９】
行段選択方式に意識的切替方式を適用した場合のキーの割り当て方法は、図６７に示すような割り当てが考えられる。なお、図６７において、行選択機能は目的の仮名が含まれる行を選択する機能であり、行決定機能は選択されている行に含まれる段（文字）の選択に移行する機能、段選択機能は目的の段（文字）を選択する機能、段決定機能は選択されている文字を入力する機能、段選択中止機能は選択中の行での段選択を中止し、行選択に移行する機能である。
【０２００】
この図６７に示すキー割り当て場合において、行選択モードで未確定文字が無い場合、ディスク型ジョグダイヤル３５のプッシュボタン８には行決定機能が割り当てられ、十字キー７の右，左ボタンにはそれぞれ位置選択機能が、回転ダイヤル６には行選択機能が割り当てられ、クリアキー１１には消去操作機能が、キー９には機能表示操作機能が、キー１３には文字種切替操作機能が割り当てられる。段選択モードで未確定文字が無い場合、プッシュボタン８には段決定機能が割り当てられ、十字キー７の右，左ボタンにはそれぞれ位置選択機能が、回転ダイヤル６には段選択機能が割り当てられ、クリアキー１１には段選択中止機能が、キー９には機能表示操作機能が、キー１３には文字種切替操作機能が割り当てられる。行選択モードで未確定文字が有る場合、プッシュボタン８には行決定機能が、十字キー７の上ボタンにはモード切替操作機能が、右，左ボタンにはそれぞれ位置選択機能が、回転ダイヤル６には行選択機能が割り当てられ、クリアキー１１には消去操作機能が、切替キー１３には確定操作機能が各々割り当てられる。段選択モードで未確定文字が有る場合、プッシュボタン８には段決定機能が、十字キー７の右，左ボタンにはそれぞれ位置選択機能が、回転ダイヤル６には段選択機能が割り当てられ、クリアキー１１には段選択中止機能が、切替キー１３には確定操作機能が各々割り当てられる。候補選択モードで未確定文字が有る場合、プッシュボタン８には候補決定操作機能が、十字キー７の下ボタンにはモード切替操作機能が、右，左ボタンには位置選択操作機能が、回転ダイヤル６には候補選択操作機能が、クリアキー１１には消去操作機能が、キー９には変換切替操作機能がそれぞれ割り当てられる。
【０２０１】
以下、上述した意識的切替方式を採用し、行段選択方式と予測変換候補選択を連携させる第１４の実施形態における一連の文字入力操作の流れを、図６８〜図７４のユーザインターフェイス画像を用いて説明する。なお、これ以降に説明しているユーザインターフェイス画像の表示制御、及び、ディスク型ジョグダイヤル３５の操作に応じた表示制御は、前述のＣＰＵ２１がメール処理部３０と表示部２６を制御することにより実現されるものである。
【０２０２】
この第１４の実施形態の場合、文字入力が行われる際の初期画面には、図６８に示すようなユーザインターフェイス画像が表示される。当該第１４の実施形態のユーザインターフェイス画像は、前述同様の入力文字表示領域５０、候補表示部５９及びカーソル５２の他、「行」の各文字が表示された仮想キーを横一列に配列した行配列キー６２が表示されている。なお、図６８の例の場合、画面上に「行」の各文字全てに対応した仮想キーを横一列に表示できないため、行配列キー６２は、画面上に表示できない各文字をスクロールにより表示可能となされている。
【０２０３】
ここで、図６８の初期画面の状態は行選択モードであり、当該行選択モード時に、例えばディスク型ジョグダイヤル３５の回転ダイヤル６がユーザにより一仮想キー相当分（一相当分）だけ右回転操作されると、行配列キー６２の各仮想キー上の「か」の文字が選択されてハイライト表示（６３）される。さらにその状態でプッシュボタン８が押下操作されると、段選択モードに遷移し、図６９に示すように、上記行配列キー６２の近傍には「段」の各文字が表示された各仮想キーを横一列に配列した段配列キー６４が表示される。なお、段配列キー６４には、段選択モードをキャンセルするための「×」仮想キーが左端に配置されている。そして、当該段選択モードのときに、回転ダイヤル６が例えば五文字相当分だけ右回転操作されると、段配列キー６４の「こ」の文字が選択されてそれに対応した仮想キーがハイライト表示（６５）される。
【０２０４】
次に、当該図６９のユーザインターフェイス画像の状態で、例えばディスク型ジョグダイヤル３５のプッシュボタン８が押下操作されると、図７０に示すように、段配列キー６４は消えて行選択モードに戻ると共に、カーソル５２上には「こ」の文字が表示され、候補表示部５９には「こ」の文字から始まる各予測変換候補が表示される。またこのとき、候補表示部５９内では、「こ」の文字がハイライト表示（６０）されている。但し、現在のモードは行選択モードであるため、予測変換候補の選択はできない。
【０２０５】
次に、当該図７０のユーザインターフェイス画像の状態で、例えば回転ダイヤル６が九仮想キー相当分（九文字相当分）だけ右回転操作された後、プッシュボタン８が押下操作されて段選択モードに遷移し、さらに回転ダイヤル６が三仮想キー相当分（三文字相当分）だけ右回転操作されると、図７１に示すように行配列キー６２内のハイライト表示６３は「わ」の文字の仮想キーとなされ、段配列キー６４内のハイライト表示６５は「ん」の文字の仮想キーとなされる。
【０２０６】
そして、この状態でプッシュボタン８が押下操作されると、図７２に示すように、段配列キー６４は消えて行選択モードに戻ると共に、カーソル５２上には先の「こ」の文字の横に「ん」の文字が表示され、候補表示部５９には「こん」の文字から始まる各予測変換候補が表示される。但し、現在のモードは行選択モードであるため、予測変換候補の選択はできない。
【０２０７】
次に、図７２のユーザインターフェイス画像が表示されているときに、十字キー７の上ボタンが押下操作されると、候補選択モードへ遷移し、候補表示部５９内の予測変換候補が選択可能になる。当該候補選択モードへ遷移した後、回転ダイヤル６が例えば三候補相当分だけ右回転操作されると、図７３に示すように、候補表示部５９内のハイライト表示６０は「今週」の候補上に移動する。
【０２０８】
次に、当該図７３のユーザインターフェイス画像が表示されているときに、プッシュボタン８が押下操作されると、図７４に示すように、カーソル５２上には「今週」の文字が表示される。またこの時、候補表示部５９内には、予測変換候補を確定することを表す「閉じる」の指示アイコン６１と、「今週」に続く各予測変換候補とが表示されることになる。図示は省略するが、その後、上記「閉じる」の指示アイコン６１がハイライト表示（６０）されているときに、さらにプッシュボタン８が押下操作されると、「今週」の文字の入力が確定し、入力文字表示領域５０内で「今週」文字の例えば右側にカーソル５２が移動し、以上により、「今週」の文字の入力が行われたことになる。
【０２０９】
上述のようなことから、第１４の実施形態によれば、行段選択方式に意識的切替方式を適用しており、行選択モード又は段選択モードと候補選択モードを明示的に切り替えているため、それぞれのモードで自由にキーを割り当てることができる。
【０２１０】
〔まとめ〕
以上説明したように、本発明の各実施形態によれば、迅速且つストレス無く文字入力を行え、表示画面上の表示領域を効率的に使用でき、さらにテンキーの使用に慣れたユーザが違和感無く文字を入力することが可能になる。また、本実施形態の携帯電話端末によれば、ディスク型ジョグダイヤル３５と他の少数のキーのみで、仮名、漢字、英文字、数字の略々全ての文字を入力することができるため、ハードウェアのテンキー自体を無くすことも可能となる。特に、テンキーを削除した場合、当該テンキーが占有していた部分を他のデバイスに割り当てたり、テンキーを削除したことによる筐体の小型化、コストの低減等も可能になる。
【０２１１】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【０２１２】
本実施形態は、携帯電話端末に限らず、例えばＰＤＡ（Personal Digital Assistant）、ディジタルテレビジョン受像機やカーナビゲーション装置のリモートコントローラ、コンピュータマウスなどの各種の電子機器に適用可能であり、それら電子機器において、ハードウェアとしてのテンキー等を使用せずに、仮名入力と漢字変換、英数字の入力等を行うこと場合に好適である。
【図面の簡単な説明】
【０２１３】
【図１】本発明実施形態の携帯電話端末を開いた状態の外観図である。
【図２】回転ヒンジ機構を中心として上部筐体と下部筐体を９０度回転させたときの本発明実施形態の携帯電話端末の外観図である。
【図３】本発明実施形態の携帯電話端末を閉じた状態の外観図である。
【図４】本実施形態の携帯電話端末の内部の概略構成を示すブロック図である。
【図５】ＣＰＵが、携帯電話端末の開閉状態に応じて文字入力モードを切り替え設定する際の動作フローチャートである。
【図６】本発明の第１，第２の実施形態の初期画面に表示されるユーザインターフェイス画像の一例を示す図である。
【図７】図６の初期画像の状態で回転ダイヤルが回転操作されたことで「さ」行が選択された時のユーザインターフェイス画像の一例を示す図である。
【図８】図７の画像の状態でプッシュボタン（第１の実施形態）又は下ボタン（第２の実施形態）が押下操作されたことで「さ」段が選択された時のユーザインターフェイス画像の一例を示す図である。
【図９】図８の画像の状態で回転ダイヤルが回転操作（第１の実施形態）又は下ボタンが押下操作（第２の実施形態）されることで「そ」の文字が選択された時のユーザインターフェイス画像の一例を示す図である。
【図１０】図９の画像の状態でプッシュボタンが押下操作（第１の実施形態）又は右ボタンが押下操作（第２の実施形態）されたことで予測変換候補の選択が可能になった時のユーザインターフェイス画像の一例を示す図である。
【図１１】図１０の画像の状態で回転ダイヤルが回転操作（第１の実施形態）又は右ボタンが押下操作（第２の実施形態）されたことで「想像」の予測変換候補が選択された時のユーザインターフェイス画像の一例を示す図である。
【図１２】図１１の画像の状態でプッシュボタンが押下操作されたことで「想像」の予測変換候補が決定された時のユーザインターフェイス画像の一例を示す図である。
【図１３】図１２の画像の状態でプッシュボタンが押下操作されたことで「想像」の文字の入力が確定した時のユーザインターフェイス画像の一例を示す図である。
【図１４】本発明の第３の実施形態において、「そさ」の二文字から始まる予測変換候補が表示された状態のユーザインターフェイス画像の一例を示す図である。
【図１５】図１４の画像の状態で回転ダイヤルが回転操作されたことで「な」行が選択されて「そな」の予測変換候補が表示された時のユーザインターフェイス画像の一例を示す図である。
【図１６】図１５の画像の状態で下ボタンが押下操作されたことで「そに」の予測変換候補が表示された時のユーザインターフェイス画像の一例を示す図である。
【図１７】図１６の画像の状態でプッシュキーが押下操作されたことで予測変換候補選択モードに遷移した時のユーザインターフェイス画像の一例を示す図である。
【図１８】図１７の画像の状態で回転ダイヤルが回転操作されて「ソニア」の予測変換候補が選択された時のユーザインターフェイス画像の一例を示す図である。
【図１９】図１８の画像の状態でプッシュボタンが押下操作されたことで「ソニア」の予測変換候補が決定された時のユーザインターフェイス画像の一例を示す図である。
【図２０】図１９の画像の状態でプッシュボタンが押下操作されたことで「ソニア」の文字の入力が確定した時のユーザインターフェイス画像の一例を示す図である。
【図２１】本発明の第４の実施形態として英文字入力用のアルファベット表示部が表示された状態のユーザインターフェイス画像の一例を示す図である。
【図２２】英文字入力時に予測変換候補が表示された状態のユーザインターフェイス画像の一例を示す図である。
【図２３】本発明の第５の実施形態の一連の文字入力動作のうち、スタートから行の文字選択までの処理を示すフローチャートである。
【図２４】本発明の第５の実施形態の一連の文字入力動作のうち、行の文字が選択された後の処理を示すフローチャートである。
【図２５】本発明の第５の実施形態の一連の文字入力動作のうち、段の文字選択と予測変換候補の選択が可能になった後の処理を示すフローチャートである。
【図２６】本発明の第５の実施形態の一連の文字入力動作のうち、予測変換候補の選択の際の処理を示すフローチャートである。
【図２７】本発明の第５の実施形態の一連の文字入力動作のうち、二文字分に対応した予測変換候補を表示する際、二文字目の行を選択する際の処理を示すフローチャートである。
【図２８】本発明の第５の実施形態の一連の文字入力動作のうち、二文字分に対応した予測変換候補を表示する際に、二文字目の段を選択する際の処理を示すフローチャートである。
【図２９】本発明の第６の実施形態の初期画面に表示されるユーザインターフェイス画像の一例を示す図である。
【図３０】図２９の初期画像の状態で回転ダイヤル又は十字キーの操作により「ま」行が選択された時のユーザインターフェイス画像の一例を示す図である。
【図３１】図３０の画像の状態でプッシュボタンが押下操作されたことで「ま」の文字が選択された時のユーザインターフェイス画像の一例を示す図である。
【図３２】図３１の画像の状態でプッシュボタンが押下操作されたことで「み」の文字が選択された時のユーザインターフェイス画像の一例を示す図である。
【図３３】図３２の画像の状態でプッシュボタンが押下操作されたことで「む」の文字が選択された時のユーザインターフェイス画像の一例を示す図である。
【図３４】図３３の画像の状態でプッシュボタンが押下操作されたことで「め」の文字が選択された時のユーザインターフェイス画像の一例を示す図である。
【図３５】図３４の画像の状態でプッシュボタンが押下操作されたことで「も」の文字が選択された時のユーザインターフェイス画像の一例を示す図である。
【図３６】図３５の画像の状態で回転ダイヤルが回転操作又は十字キーが押下操作されたことで「も」の文字の入力が確定した時のユーザインターフェイス画像の一例を示す図である。
【図３７】第６の実施形態において、升目状配置キーに英文字入力用のアルファベットを表示した状態のユーザインターフェイス画像の一例を示す図である。
【図３８】第６の実施形態において、升目状配置キーに数字入力用のキーを表示した状態のユーザインターフェイス画像の一例を示す図である。
【図３９】本発明の第７の実施形態として、各行の横列配置キーを表示した状態のユーザインターフェイス画像の一例を示す図である。
【図４０】本発明の第８の実施形態として、各行の一部の文字をスクロール可能な横列配置キー上に表示した状態のユーザインターフェイス画像の一例を示す図である。
【図４１】本発明の第９の実施形態として、各行の横列配置キーと、選択された行に含まれる段の文字の一覧部と表示した状態のユーザインターフェイス画像の一例を示す図である。
【図４２】本発明の第９の実施形態として、各行の一部の文字をスクロール可能な横列配置キーと、選択された行に含まれる段の文字の一覧部とを表示した状態のユーザインターフェイス画像の一例を示す図である。
【図４３】本発明の第１０の実施形態として、アルファベット配列キーと一覧部とを表示した状態のユーザインターフェイス画像の一例を示す図である。
【図４４】本発明の第１１の実施形態として、円状配列キーを表示した状態のユーザインターフェイス画像の一例を示す図である。
【図４５】行選択連打方式と予測変換候補選択を連携させた場合の、仮名選択モードと候補選択モードの切替制御のフローチャートである。
【図４６】シームレス切替方式を適用した場合において、仮名選択モードと候補選択モード時の選択キーの割り当て方法の三パターンの説明に用いる図である。
【図４７】パターンＡの場合の詳細なキー割り当ての説明に用いる図である。
【図４８】パターンＢの場合の詳細なキー割り当ての説明に用いる図である。
【図４９】パターンＣの場合の詳細なキー割り当ての説明に用いる図である。
【図５０】本発明の第１２の実施形態の初期画面に表示されるユーザインターフェイス画像の一例を示す図である。
【図５１】図５０の初期画像の状態で回転ダイヤルが回転操作されて「か」行が選択された時のユーザインターフェイス画像の一例を示す図である。
【図５２】図５１の画像の状態でプッシュボタンと回転ダイヤルが操作されて「わ」行が選択された時のユーザインターフェイス画像の一例を示す図である。
【図５３】図５２の画像の状態で回転ダイヤルとプッシュボタンが操作されて「こん」に関連する予測変換候補が表示された時のユーザインターフェイス画像の一例を示す図である。
【図５４】図５３の画像の状態で下ボタンが押下操作されて「こん」に関連する予測変換候補が表示された時のユーザインターフェイス画像の一例を示す図である。
【図５５】図５４の画像の状態でプッシュボタンが押下操作されて「今週」の予測変換候補が決定された時のユーザインターフェイス画像の一例を示す図である。
【図５６】ガイド表示が行われる場合のユーザインターフェイス画像の一例を示す図である。
【図５７】ガイド表示が行われる場合のユーザインターフェイス画像の他の例を示す図である。
【図５８】意識的切替方式を適用した場合において、仮名選択モードと候補選択モード時の選択キーの割り当て方法の二パターンの説明に用いる図である。
【図５９】パターンＤの場合の詳細なキー割り当ての説明に用いる図である。
【図６０】パターンＥの場合の詳細なキー割り当ての説明に用いる図である。
【図６１】本発明の第１３の実施形態の初期画面に表示されるユーザインターフェイス画像の一例を示す図である。
【図６２】図６１の初期画像の状態で回転ダイヤルとプッシュボタンが操作されて「こ」に関連する予測変換候補が表示された時のユーザインターフェイス画像の一例を示す図である。
【図６３】図６２の画像の状態で回転ダイヤルが操作されて「わ」行が選択された時のユーザインターフェイス画像の一例を示す図である。
【図６４】図６３の画像の状態でプッシュボタンが操作されて「こん」に関連する予測変換候補が表示された時のユーザインターフェイス画像の一例を示す図である。
【図６５】図６４の画像の状態で上ボタンが押下操作されて「今週」の予測変換候補が選択された時のユーザインターフェイス画像の一例を示す図である。
【図６６】図６５の画像の状態でプッシュボタンが押下操作されて「今週」の予測変換候補が決定された時のユーザインターフェイス画像の一例を示す図である。
【図６７】行段選択方式に意識的切替方式を適用した場合の詳細なキー割り当ての説明に用いる図である。
【図６８】本発明の第１４の実施形態の初期画面に表示されるユーザインターフェイス画像の一例を示す図である。
【図６９】図６８の初期画像の状態で回転ダイヤルとプッシュボタンが操作されて「か」段の段配列キーが表示された時のユーザインターフェイス画像の一例を示す図である。
【図７０】図６９の画像の状態でプッシュボタンが操作されて「こ」に関連する予測変換候補が表示された時のユーザインターフェイス画像の一例を示す図である。
【図７１】図７０の画像の状態で回転ダイヤルとプッシュボタンが操作されて「わ」段の「ん」の文字が選択された時のユーザインターフェイス画像の一例を示す図である。
【図７２】図７１の画像の状態でプッシュボタンが操作されて「こん」に関連する予測変換候補が表示された時のユーザインターフェイス画像の一例を示す図である。
【図７３】図７２の画像の状態で上ボタンと回転ダイヤルが操作されて「今週」の予測変換候補が選択された時のユーザインターフェイス画像の一例を示す図である。
【図７４】図７３の画像の状態でプッシュボタンが押下操作されて「今週」の予測変換候補が決定された時のユーザインターフェイス画像の一例を示す図である。
【符号の説明】
【０２１４】
１  上部筐体、２  下部筐体、３  ディスプレイ、４（３２）  スピーカ、５（２２）  アンテナ、６  回転ダイヤル、７  十字キー、８  プッシュボタン、９  メール機能キー、１０  通話開始キー、１１  クリアキー、１２  通話終了キー、１３  切替キー、１４  テンキー、１５（３３）  マイクロホン、１６  回転ヒンジ機構、１７  マナーキー、１８  メモキー、２１  ＣＰＵ、２３  通信部、２４  ＲＯＭ、２５  ＲＡＭ、２６  表示部、２７  開閉検知用センサ、３０  メール処理部、３１  音声処理部、３４  キー入力部、３５  ディスク型ジョグダイヤル、４０  上部表示領域、４１  下部表示領域、４２  行表示部、４３  段表示部、４４，５９  候補表示部、４５，４８，５３，６０、６３，６５  ハイライト表示、４６，５２  カーソル、４７  アルファベット表示部、４９，６１  指示アイコン、５０  入力文字表示領域、５１  升目状配置キー、５４，５５，５８  横列配置キー、５６  一覧部、５７  円状配列キー、６２  行配列キー、６４  段配列キー、６４〜６７  ガイド表示
【図１】
2005092521.tif 000003
【図２】
2005092521.tif 000004
【図３】
2005092521.tif 000005
【図４】
2005092521.tif 000006
【図５】
2005092521.tif 000007
【図６】
2005092521.tif 000008
【図７】
2005092521.tif 000009
【図８】
2005092521.tif 000010
【図９】
2005092521.tif 000011
【図１０】
2005092521.tif 000012
【図１１】
2005092521.tif 000013
【図１２】
2005092521.tif 000014
【図１３】
2005092521.tif 000015
【図１４】
2005092521.tif 000016
【図１５】
2005092521.tif 000017
【図１６】
2005092521.tif 000018
【図１７】
2005092521.tif 000019
【図１８】
2005092521.tif 000020
【図１９】
2005092521.tif 000021
【図２０】
2005092521.tif 000022
【図２１】
2005092521.tif 000023
【図２２】
2005092521.tif 000024
【図２３】
2005092521.tif 000025
【図２４】
2005092521.tif 000026
【図２５】
2005092521.tif 000027
【図２６】
2005092521.tif 000028
【図２７】
2005092521.tif 000029
【図２８】
2005092521.tif 000030
【図２９】
2005092521.tif 000031
【図３０】
2005092521.tif 000032
【図３１】
2005092521.tif 000033
【図３２】
2005092521.tif 000034
【図３３】
2005092521.tif 000035
【図３４】
2005092521.tif 000036
【図３５】
2005092521.tif 000037
【図３６】
2005092521.tif 000038
【図３７】
2005092521.tif 000039
【図３８】
2005092521.tif 000040
【図３９】
2005092521.tif 000041
【図４０】
2005092521.tif 000042
【図４１】
2005092521.tif 000043
【図４２】
2005092521.tif 000044
【図４３】
2005092521.tif 000045
【図４４】
2005092521.tif 000046
【図４５】
2005092521.tif 000047
【図４６】
2005092521.tif 000048
【図４７】
2005092521.tif 000049
【図４８】
2005092521.tif 000050
【図４９】
2005092521.tif 000051
【図５０】
2005092521.tif 000052
【図５１】
2005092521.tif 000053
【図５２】
2005092521.tif 000054
【図５３】
2005092521.tif 000055
【図５４】
2005092521.tif 000056
【図５５】
2005092521.tif 000057
【図５６】
2005092521.tif 000058
【図５７】
2005092521.tif 000059
【図５８】
2005092521.tif 000060
【図５９】
2005092521.tif 000061
【図６０】
2005092521.tif 000062
【図６１】
2005092521.tif 000063
【図６２】
2005092521.tif 000064
【図６３】
2005092521.tif 000065
【図６４】
2005092521.tif 000066
【図６５】
2005092521.tif 000067
【図６６】
2005092521.tif 000068
【図６７】
2005092521.tif 000069
【図６８】
2005092521.tif 000070
【図６９】
2005092521.tif 000071
【図７０】
2005092521.tif 000072
【図７１】
2005092521.tif 000073
【図７２】
2005092521.tif 000074
【図７３】
2005092521.tif 000075
【図７４】
2005092521.tif 000076